(57)【要約】【課題】  この発明は、低消費電力化が図れる自発光型ディスプレイの信号処理回路および信号処理方法を提供することを目的とする。【解決手段】  自発光型ディスプレイの信号処理回路において、ＲＧＢ入力信号のうちの最小値を、ＲＧＢの各入力信号から減算する第１手段、ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２手段、および上記第２手段によって算出されたＲＧＢＷ信号に対して、第１手段によって算出されたＲＧＢ毎の減算結果を対応する信号に加算することにより、ＲＧＢＷ信号を求める第３手段を備えている。【選択図】  図１１
2006133711.tif 000002
【特許請求の範囲】
【請求項１】
１画素がＲＧＢＷの４つの単位画素から構成されており、ＲＧＢ単位画素には色フィルタが設けられ、Ｗ単位画素には色フィルタが設けられていない自発光型ディスプレイの信号処理回路であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値が設定されている自発光型ディスプレイの信号処理回路において、
ＲＧＢ入力信号のうちの最小値を、ＲＧＢの各入力信号から減算する第１手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２手段、および
上記第２手段によって算出されたＲＧＢＷ信号に対して、第１手段によって算出されたＲＧＢ毎の減算結果を対応する信号に加算することにより、ＲＧＢＷ信号を求める第３手段、
を備えていることを特徴とする自発光型ディスプレイの信号処理回路。
【請求項２】
１画素がＲＧＢＷの４つの単位画素から構成されており、ＲＧＢ単位画素には色フィルタが設けられ、Ｗ単位画素には色フィルタが設けられていない自発光型ディスプレイの信号処理回路において、
予めガンマ補正がかけられているＲＧＢ入力信号に対して逆ガンマ補正を行うことにより、ＲＧＢ入力信号をガンマ補正前のＲＧＢ信号に変換する逆ガンマ補正手段、逆ガンマ補正手段によって得られたＲＧＢ信号をＲＧＢ入力信号とし、ＲＧＢ入力信号をＲＧＢＷ信号に変換するＲＧＢ−ＲＧＢＷ信号変換手段、およびＲＧＢ−ＲＧＢＷ信号変換手段によって得られたＲＧＢＷ信号に対して、自発光型ディスプレイに対応したガンマ補正を行うガンマ補正手段を備えており、
逆ガンマ補正手段によって得られたＲＧＢ信号が全て同じ値であるときに、ＲＧＢのみによって目標の白を実現できるようにＲＧＢの白側リファレンス輝度が設定されているとともに、逆ガンマ補正手段によって得られたＲＧＢ信号の全てが最大値であるときに目標の白を実現するためのＲＧＢＷ信号値が設定されており、
ＲＧＢ−ＲＧＢＷ信号変換手段は、
ＲＧＢ入力信号のうちの最小値を、ＲＧＢの各入力信号から減算する第１手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２手段、および
上記第２手段によって算出されたＲＧＢＷ信号に対して、第１手段によって算出されたＲＧＢ毎の減算結果を対応する信号に加算することにより、ＲＧＢＷ信号を求める第３手段、
を備えていることを特徴とする自発光型ディスプレイの信号処理回路。
【請求項３】
１画素がＲＧＢＷの４つの単位画素から構成されており、ＲＧＢ単位画素には色フィルタが設けられ、Ｗ単位画素には色フィルタが設けられていない自発光型ディスプレイの信号処理回路であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値が設定されている自発光型ディスプレイの信号処理回路において、
ＲＧＢ入力信号のうちの最小値を、ＲＧＢの各入力信号から減算する第１手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２手段、
上記第２手段によって算出されたＲＧＢＷ信号に対して、第１手段によって算出されたＲＧＢ毎の減算結果を対応する信号に加算することにより、ＲＧＢＷ信号を求める第３手段、
第３手段によって算出されたＲＧＢＷ信号におけるＲＧＢ信号うちの最小値が０でない場合には、第３手段によって得られたＲＧＢＷ信号を中間的なＲＧＢＷ信号とし、中間的なＲＧＢＷ信号におけるＲＧＢ信号をＲＧＢ入力信号と見做して、第１手段、第２手段および第３手段と同様な手法でＲＧＢＷ信号を算出するとともに、算出したＲＧＢＷ信号のＷ信号に中間的なＲＧＢＷ信号におけるＷ信号を加算することにより、ＲＧＢＷ信号を生成する第６手段、ならびに
第６手段によって算出されたＲＧＢＷ信号におけるＲＧＢ信号のうちの最小値が０でない場合には、第６手段によって得られたＲＧＢＷ信号を中間的なＲＧＢＷ信号として、第６手段と同様な処理を行う第７手段、
を備えていることを特徴とする自発光型ディスプレイの信号処理回路。
【請求項４】
１画素がＲＧＢＷの４つの単位画素から構成されており、ＲＧＢ単位画素には色フィルタが設けられ、Ｗ単位画素には色フィルタが設けられていない自発光型ディスプレイの信号処理回路において、
予めガンマ補正がかけられているＲＧＢ入力信号に対して逆ガンマ補正を行うことにより、ＲＧＢ入力信号をガンマ補正前のＲＧＢ信号に変換する逆ガンマ補正手段、逆ガンマ補正手段によって得られたＲＧＢ信号をＲＧＢ入力信号とし、ＲＧＢ入力信号をＲＧＢＷ信号に変換するＲＧＢ−ＲＧＢＷ信号変換手段、およびＲＧＢ−ＲＧＢＷ信号変換手段によって得られたＲＧＢＷ信号に対して、自発光型ディスプレイに対応したガンマ補正を行うガンマ補正手段を備えており、
逆ガンマ補正手段によって得られたＲＧＢ信号が全て同じ値であるときに、ＲＧＢのみによって目標の白を実現できるようにＲＧＢの白側リファレンス輝度が設定されているとともに、逆ガンマ補正手段によって得られたＲＧＢ信号の全てが最大値であるときに目標の白を実現するためのＲＧＢＷ信号値が設定されており、
ＲＧＢ−ＲＧＢＷ信号変換手段は、
ＲＧＢ入力信号のうちの最小値を、ＲＧＢの各入力信号から減算する第１手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２手段、
上記第２手段によって算出されたＲＧＢＷ信号に対して、第１手段によって算出されたＲＧＢ毎の減算結果を対応する信号に加算することにより、ＲＧＢＷ信号を求める第３手段、
第３手段によって算出されたＲＧＢＷ信号におけるＲＧＢ信号うちの最小値が０でない場合には、第３手段によって得られたＲＧＢＷ信号を中間的なＲＧＢＷ信号とし、中間的なＲＧＢＷ信号におけるＲＧＢ信号をＲＧＢ入力信号と見做して、第１手段、第２手段および第３手段と同様な手法でＲＧＢＷ信号を算出するとともに、算出したＲＧＢＷ信号のＷ信号に中間的なＲＧＢＷ信号におけるＷ信号を加算することにより、ＲＧＢＷ信号を生成する第６手段、ならびに
第６手段によって算出されたＲＧＢＷ信号におけるＲＧＢ信号のうちの最小値が０でない場合には、第６手段によって得られたＲＧＢＷ信号を中間的なＲＧＢＷ信号として、第６手段と同様な処理を行う第７手段、
を備えていることを特徴とする自発光型ディスプレイの信号処理回路。
【請求項５】
１画素がＲＧＢＷの４つの単位画素から構成されており、ＲＧＢ単位画素には色フィルタが設けられ、Ｗ単位画素には色フィルタが設けられていない自発光型ディスプレイの信号処理回路であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値が設定されている自発光型ディスプレイの信号処理回路において、
ＲＧＢ入力信号の全てが最大値であるときに目標の白を実現するためのＲＧＢＷ信号値に基づいて、そのＷの信号値に対するそのＲＧＢの各信号値の割合を、ＲＧＢ毎のフィードバック率として算出する第１手段、
ＲＧＢ毎に、ＲＧＢ入力信号を初項とし、ＲＧＢ毎のフィードバック率を公比とする無限等比級数の和を算出する第２手段、
第２手段によってＲＧＢ毎に算出された無限等比級数の和のうちの最小値を、ＲＧＢの各入力信号から減算する第３手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第４手段、および
上記第４手段によって算出されたＲＧＢＷ信号に対して、第３手段によって算出されたＲＧＢ毎の減算結果を対応する信号に加算することにより、ＲＧＢＷ信号を求める第５手段、
を備えていることを特徴とする自発光型ディスプレイの信号処理回路。
【請求項６】
１画素がＲＧＢＷの４つの単位画素から構成されており、ＲＧＢ単位画素には色フィルタが設けられ、Ｗ単位画素には色フィルタが設けられていない自発光型ディスプレイの信号処理回路において、
予めガンマ補正がかけられているＲＧＢ入力信号に対して逆ガンマ補正を行うことにより、ＲＧＢ入力信号をガンマ補正前のＲＧＢ信号に変換する逆ガンマ補正手段、逆ガンマ補正手段によって得られたＲＧＢ信号をＲＧＢ入力信号とし、ＲＧＢ入力信号をＲＧＢＷ信号に変換するＲＧＢ−ＲＧＢＷ信号変換手段、およびＲＧＢ−ＲＧＢＷ信号変換手段によって得られたＲＧＢＷ信号に対して、自発光型ディスプレイに対応したガンマ補正を行うガンマ補正手段を備えており、
逆ガンマ補正手段によって得られたＲＧＢ信号が全て同じ値であるときに、ＲＧＢのみによって目標の白を実現できるようにＲＧＢの白側リファレンス輝度が設定されているとともに、逆ガンマ補正手段によって得られたＲＧＢ信号の全てが最大値であるときに目標の白を実現するためのＲＧＢＷ信号値が設定されており、
ＲＧＢ−ＲＧＢＷ信号変換手段は、
ＲＧＢ入力信号の全てが最大値であるときに目標の白を実現するためのＲＧＢＷ信号値に基づいて、そのＷの信号値に対するそのＲＧＢの各信号値の割合を、ＲＧＢ毎のフィードバック率として算出する第１手段、
ＲＧＢ毎に、ＲＧＢ入力信号を初項とし、ＲＧＢ毎のフィードバック率を公比とする無限等比級数の和を算出する第２手段、
第２手段によってＲＧＢ毎に算出された無限等比級数の和のうちの最小値を、ＲＧＢの各入力信号から減算する第３手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第４手段、および
上記第４手段によって算出されたＲＧＢＷ信号に対して、第３手段によって算出されたＲＧＢ毎の減算結果を対応する信号に加算することにより、ＲＧＢＷ信号を求める第５手段、
を備えていることを特徴とする自発光型ディスプレイの信号処理回路。
【請求項７】
１画素がＲＧＢＷの４つの単位画素から構成されており、ＲＧＢ単位画素には色フィルタが設けられ、Ｗ単位画素には色フィルタが設けられていない自発光型ディスプレイの信号処理方法であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値が設定されている自発光型ディスプレイの信号処理方法において、
ＲＧＢ入力信号のうちの最小値を、ＲＧＢの各入力信号から減算する第１ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２ステップ、および
上記第２ステップによって算出されたＲＧＢＷ信号に対して、第１ステップによって算出されたＲＧＢ毎の減算結果を対応する信号に加算することにより、ＲＧＢＷ信号を求める第３ステップ、
を備えていることを特徴とする自発光型ディスプレイの信号処理方法。
【請求項８】
１画素がＲＧＢＷの４つの単位画素から構成されており、ＲＧＢ単位画素には色フィルタが設けられ、Ｗ単位画素には色フィルタが設けられていない自発光型ディスプレイの信号処理方法において、
予めガンマ補正がかけられているＲＧＢ入力信号に対して逆ガンマ補正を行うことにより、ＲＧＢ入力信号をガンマ補正前のＲＧＢ信号に変換する逆ガンマ補正手段、逆ガンマ補正手段によって得られたＲＧＢ信号をＲＧＢ入力信号とし、ＲＧＢ入力信号をＲＧＢＷ信号に変換するＲＧＢ−ＲＧＢＷ信号変換手段、およびＲＧＢ−ＲＧＢＷ信号変換手段によって得られたＲＧＢＷ信号に対して、自発光型ディスプレイに対応したガンマ補正を行うガンマ補正手段を備えており、
逆ガンマ補正手段によって得られたＲＧＢ信号が全て同じ値であるときに、ＲＧＢのみによって目標の白を実現できるようにＲＧＢの白側リファレンス輝度が設定されているとともに、逆ガンマ補正手段によって得られたＲＧＢ信号の全てが最大値であるときに目標の白を実現するためのＲＧＢＷ信号値が設定されており、
ＲＧＢ−ＲＧＢＷ信号変換ステップは、
ＲＧＢ入力信号のうちの最小値を、ＲＧＢの各入力信号から減算する第１ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２ステップ、および
上記第２ステップによって算出されたＲＧＢＷ信号に対して、第１ステップによって算出されたＲＧＢ毎の減算結果を対応する信号に加算することにより、ＲＧＢＷ信号を求める第３ステップ、
を備えていることを特徴とする自発光型ディスプレイの信号処理方法。
【請求項９】
１画素がＲＧＢＷの４つの単位画素から構成されており、ＲＧＢ単位画素には色フィルタが設けられ、Ｗ単位画素には色フィルタが設けられていない自発光型ディスプレイの信号処理方法であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値が設定されている自発光型ディスプレイの信号処理方法において、
ＲＧＢ入力信号のうちの最小値を、ＲＧＢの各入力信号から減算する第１ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２ステップ、
上記第２ステップによって算出されたＲＧＢＷ信号に対して、第１ステップによって算出されたＲＧＢ毎の減算結果を対応する信号に加算することにより、ＲＧＢＷ信号を求める第３ステップ、
第３ステップによって算出されたＲＧＢＷ信号におけるＲＧＢ信号うちの最小値が０でない場合には、第３ステップによって得られたＲＧＢＷ信号を中間的なＲＧＢＷ信号とし、中間的なＲＧＢＷ信号におけるＲＧＢ信号をＲＧＢ入力信号と見做して、第１ステップ、第２ステップおよび第３ステップと同様な手法でＲＧＢＷ信号を算出するとともに、算出したＲＧＢＷ信号のＷ信号に中間的なＲＧＢＷ信号におけるＷ信号を加算することにより、ＲＧＢＷ信号を生成する第６ステップ、ならびに
第６ステップによって算出されたＲＧＢＷ信号におけるＲＧＢ信号のうちの最小値が０でない場合には、第６ステップによって得られたＲＧＢＷ信号を中間的なＲＧＢＷ信号として、第６ステップと同様な処理を行う第７ステップ、
を備えていることを特徴とする自発光型ディスプレイの信号処理方法。
【請求項１０】
１画素がＲＧＢＷの４つの単位画素から構成されており、ＲＧＢ単位画素には色フィルタが設けられ、Ｗ単位画素には色フィルタが設けられていない自発光型ディスプレイの信号処理方法において、
予めガンマ補正がかけられているＲＧＢ入力信号に対して逆ガンマ補正を行うことにより、ＲＧＢ入力信号をガンマ補正前のＲＧＢ信号に変換する逆ガンマ補正ステップ、逆ガンマ補正ステップによって得られたＲＧＢ信号をＲＧＢ入力信号とし、ＲＧＢ入力信号をＲＧＢＷ信号に変換するＲＧＢ−ＲＧＢＷ信号変換ステップ、およびＲＧＢ−ＲＧＢＷ信号変換手段によって得られたＲＧＢＷ信号に対して、自発光型ディスプレイに対応したガンマ補正を行うガンマ補正ステップを備えており、
逆ガンマ補正ステップによって得られたＲＧＢ信号が全て同じ値であるときに、ＲＧＢのみによって目標の白を実現できるようにＲＧＢの白側リファレンス輝度が設定されているとともに、逆ガンマ補正手段によって得られたＲＧＢ信号の全てが最大値であるときに目標の白を実現するためのＲＧＢＷ信号値が設定されており、
ＲＧＢ−ＲＧＢＷ信号変換ステップは、
ＲＧＢ入力信号のうちの最小値を、ＲＧＢの各入力信号から減算する第１ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２ステップ、
上記第２ステップによって算出されたＲＧＢＷ信号に対して、第１ステップによって算出されたＲＧＢ毎の減算結果を対応する信号に加算することにより、ＲＧＢＷ信号を求める第３ステップ、
第３ステップによって算出されたＲＧＢＷ信号におけるＲＧＢ信号うちの最小値が０でない場合には、第３ステップによって得られたＲＧＢＷ信号を中間的なＲＧＢＷ信号とし、中間的なＲＧＢＷ信号におけるＲＧＢ信号をＲＧＢ入力信号と見做して、第１ステップ、第２ステップおよび第３ステップと同様な手法でＲＧＢＷ信号を算出するとともに、算出したＲＧＢＷ信号のＷ信号に中間的なＲＧＢＷ信号におけるＷ信号を加算することにより、ＲＧＢＷ信号を生成する第６ステップ、ならびに
第６ステップによって算出されたＲＧＢＷ信号におけるＲＧＢ信号のうちの最小値が０でない場合には、第６ステップによって得られたＲＧＢＷ信号を中間的なＲＧＢＷ信号として、第６ステップと同様な処理を行う第７ステップ、
を備えていることを特徴とする自発光型ディスプレイの信号処理方法。
【請求項１１】
１画素がＲＧＢＷの４つの単位画素から構成されており、ＲＧＢ単位画素には色フィルタが設けられ、Ｗ単位画素には色フィルタが設けられていない自発光型ディスプレイの信号処理方法であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値が設定されている自発光型ディスプレイの信号処理方法において、
ＲＧＢ入力信号の全てが最大値であるときに目標の白を実現するためのＲＧＢＷ信号値に基づいて、そのＷの信号値に対するそのＲＧＢの各信号値の割合を、ＲＧＢ毎のフィードバック率として算出する第１ステップ、
ＲＧＢ毎に、ＲＧＢ入力信号を初項とし、ＲＧＢ毎のフィードバック率を公比とする無限等比級数の和を算出する第２ステップ、
第２ステップによってＲＧＢ毎に算出された無限等比級数の和のうちの最小値を、ＲＧＢの各入力信号から減算する第３ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第４ステップ、および
上記第４ステップによって算出されたＲＧＢＷ信号に対して、第３ステップによって算出されたＲＧＢ毎の減算結果を対応する信号に加算することにより、ＲＧＢＷ信号を求める第５ステップ、
を備えていることを特徴とする自発光型ディスプレイの信号処理方法。
【請求項１２】
１画素がＲＧＢＷの４つの単位画素から構成されており、ＲＧＢ単位画素には色フィルタが設けられ、Ｗ単位画素には色フィルタが設けられていない自発光型ディスプレイの信号処理方法において、
予めガンマ補正がかけられているＲＧＢ入力信号に対して逆ガンマ補正を行うことにより、ＲＧＢ入力信号をガンマ補正前のＲＧＢ信号に変換する逆ガンマ補正ステップ、逆ガンマ補正ステップによって得られたＲＧＢ信号をＲＧＢ入力信号とし、ＲＧＢ入力信号をＲＧＢＷ信号に変換するＲＧＢ−ＲＧＢＷ信号変換ステップ、およびＲＧＢ−ＲＧＢＷ信号変換手段によって得られたＲＧＢＷ信号に対して、自発光型ディスプレイに対応したガンマ補正を行うガンマ補正ステップを備えており、
逆ガンマ補正ステップによって得られたＲＧＢ信号が全て同じ値であるときに、ＲＧＢのみによって目標の白を実現できるようにＲＧＢの白側リファレンス輝度が設定されているとともに、逆ガンマ補正手段によって得られたＲＧＢ信号の全てが最大値であるときに目標の白を実現するためのＲＧＢＷ信号値が設定されており、
ＲＧＢ−ＲＧＢＷ信号変換ステップは、
ＲＧＢ入力信号の全てが最大値であるときに目標の白を実現するためのＲＧＢＷ信号値に基づいて、そのＷの信号値に対するそのＲＧＢの各信号値の割合を、ＲＧＢ毎のフィードバック率として算出する第１ステップ、
ＲＧＢ毎に、ＲＧＢ入力信号を初項とし、ＲＧＢ毎のフィードバック率を公比とする無限等比級数の和を算出する第２ステップ、
第２ステップによってＲＧＢ毎に算出された無限等比級数の和のうちの最小値を、ＲＧＢの各入力信号から減算する第３ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第４ステップ、および
上記第４ステップによって算出されたＲＧＢＷ信号に対して、第３ステップによって算出されたＲＧＢ毎の減算結果を対応する信号に加算することにより、ＲＧＢＷ信号を求める第５ステップ、
を備えていることを特徴とする自発光型ディスプレイの信号処理方法。
【請求項１３】
ＸをＲＧＢ以外の任意の色として、１画素がＲＧＢＸの４つの単位画素から構成されている自発光型ディスプレイの信号処理回路であって、ＲＧＢ信号によってＸの色度および最大輝度を実現するためのＲＧＢ信号値が設定されている自発光型ディスプレイの信号処理回路において、
ＲＧＢ入力信号をＲＧＢＸ信号に変換するＲＧＢ−ＲＧＢＸ信号変換手段を備えており、
ＲＧＢ−ＲＧＢＸ信号変換手段は、
上記Ｘの色度および最大輝度を実現するためのＲＧＢ信号値に基づいて、ＲＧＢ入力信号のうちからＸ信号に変換され得るＲＧＢ信号成分であって、ＲＧＢ入力信号からＸ信号に変換され得るＲＧＢ信号成分を減算した場合に、ＲＧＢの減算結果のうちの少なくとも１つが０となるようなＲＧＢ信号成分を算出する第１手段、
ＲＧＢ入力信号から第１手段によって算出されたＲＧＢ信号成分を減算し、その減算結果をＲＧＢ信号として出力する第２手段、および
第１手段によって算出されたＲＧＢ信号成分に相当するＸ信号を、Ｘ信号として出力する第３手段、
を備えていることを特徴とする自発光型ディスプレイの信号処理回路。
【請求項１４】
ＸをＲＧＢ以外の任意の色として、１画素がＲＧＢＸの４つの単位画素から構成されている自発光型ディスプレイの信号処理回路において、
予めガンマ補正がかけられているＲＧＢ入力信号に対して逆ガンマ補正を行うことにより、ＲＧＢ入力信号をガンマ補正前のＲＧＢ信号に変換する逆ガンマ補正手段、逆ガンマ補正手段によって得られたＲＧＢ信号をＲＧＢ入力信号とし、ＲＧＢ入力信号をＲＧＢＸ信号に変換するＲＧＢ−ＲＧＢＸ信号変換手段およびＲＧＢ−ＲＧＢＸ信号変換手段によって得られたＲＧＢＸ信号に対して自発光型ディスプレイに対応したガンマ補正を行うガンマ補正手段を備えており、
逆ガンマ補正手段によって得られるガンマ補正前のＲＧＢ信号を対象として、ＲＧＢ信号によってＸの色度および最大輝度を実現するためのＲＧＢ信号値が設定されており、
ＲＧＢ−ＲＧＢＸ信号変換手段は、
上記Ｘの色度および最大輝度を実現するためのＲＧＢ信号値に基づいて、ＲＧＢ入力信号のうちからＸ信号に変換され得るＲＧＢ信号成分であって、ＲＧＢ入力信号からＸ信号に変換され得るＲＧＢ信号成分を減算した場合に、ＲＧＢの減算結果のうちの少なくとも１つが０となるようなＲＧＢ信号成分を算出する第１手段、
ＲＧＢ入力信号から第１手段によって算出されたＲＧＢ信号成分を減算し、その減算結果をＲＧＢ信号として出力する第２手段、および
第１手段によって算出されたＲＧＢ信号成分に相当するＸ信号を、Ｘ信号として出力する第３手段、
を備えていることを特徴とする自発光型ディスプレイの信号処理回路。
【請求項１５】
ＸをＲＧＢ以外の任意の色として、１画素がＲＧＢＸの４つの単位画素から構成されている自発光型ディスプレイの信号処理方法であって、ＲＧＢ信号によってＸの色度および最大輝度を実現するためのＲＧＢ信号値が設定されている自発光型ディスプレイの信号処理方法において、
ＲＧＢ入力信号をＲＧＢＸ信号に変換するＲＧＢ−ＲＧＢＸ信号変換ステップを備えており、
ＲＧＢ−ＲＧＢＸ信号変換ステップは、
上記Ｘの色度および最大輝度を実現するためのＲＧＢ信号値に基づいて、ＲＧＢ入力信号のうちからＸ信号に変換され得るＲＧＢ信号成分であって、ＲＧＢ入力信号からＸ信号に変換され得るＲＧＢ信号成分を減算した場合に、ＲＧＢの減算結果のうちの少なくとも１つが０となるようなＲＧＢ信号成分を算出する第１ステップ、
ＲＧＢ入力信号から第１ステップによって算出されたＲＧＢ信号成分を減算し、その減算結果をＲＧＢ信号として出力する第２ステップ、および
第１ステップによって算出されたＲＧＢ信号成分に相当するＸ信号を、Ｘ信号として出力する第３ステップ、
を備えていることを特徴とする自発光型ディスプレイの信号処理方法。
【請求項１６】
ＸをＲＧＢ以外の任意の色として、１画素がＲＧＢＸの４つの単位画素から構成されている自発光型ディスプレイの信号処理方法において、
予めガンマ補正がかけられているＲＧＢ入力信号に対して逆ガンマ補正を行うことにより、ＲＧＢ入力信号をガンマ補正前のＲＧＢ信号に変換する逆ガンマ補正ステップ、逆ガンマ補正ステップによって得られたＲＧＢ信号をＲＧＢ入力信号とし、ＲＧＢ入力信号をＲＧＢＸ信号に変換するＲＧＢ−ＲＧＢＸ信号変換ステップおよびＲＧＢ−ＲＧＢＸ信号変換ステップによって得られたＲＧＢＸ信号に対して自発光型ディスプレイに対応したガンマ補正を行うガンマ補正ステップを備えており、
逆ガンマ補正ステップによって得られるガンマ補正前のＲＧＢ信号を対象として、ＲＧＢ信号によってＸの色度および最大輝度を実現するためのＲＧＢ信号値が設定されており、
ＲＧＢ−ＲＧＢＸ信号変換ステップは、
上記Ｘの色度および最大輝度を実現するためのＲＧＢ信号値に基づいて、ＲＧＢ入力信号のうちからＸ信号に変換され得るＲＧＢ信号成分であって、ＲＧＢ入力信号からＸ信号に変換され得るＲＧＢ信号成分を減算した場合に、ＲＧＢの減算結果のうちの少なくとも１つが０となるようなＲＧＢ信号成分を算出する第１ステップ、
ＲＧＢ入力信号から第１ステップによって算出されたＲＧＢ信号成分を減算し、その減算結果をＲＧＢ信号として出力する第２ステップ、および
第１ステップによって算出されたＲＧＢ信号成分に相当するＸ信号を、Ｘ信号として出力する第３ステップ、
を備えていることを特徴とする自発光型ディスプレイの信号処理方法。
【発明の詳細な説明】
【技術分野】
【０００１】
この発明は、自発光型ディスプレイの信号処理回路および信号処理方法に関する。
【背景技術】
【０００２】
有機ＥＬディスプレイ等の自発光型ディスプレイは、薄型、軽量、低消費電力などの特徴を有しており、用途が広がっている。ただし、携帯電話、デジタルスチルカメラなどの用途においては、更なる低消費電力化への要求が高い。
【０００３】
白発光材料にカラーフィルタが張りつけられている有機ＥＬディスプレイのような自発光型ディスプレイの場合、カラーフィルタを光が通過する際に光の一部がカラーフィルタに吸収されるため、光利用効率が悪くなっている。この光利用効率の低さが消費電力の低下を妨げている。
【特許文献１】特開平１１−２９５７１７号公報
【発明の開示】
【発明が解決しようとする課題】
【０００４】
この発明は、１画素がＲＧＢＷの４つの単位画素から構成されており、ＲＧＢ単位画素には色フィルタが設けられ、Ｗ単位画素には色フィルタが設けられていない自発光型ディスプレイの信号処理回路および信号処理方法であって、低消費電力化が図れる自発光型ディスプレイの信号処理回路および信号処理方法を提供することを目的とする。
【０００５】
また、この発明は、ＸをＲＧＢ以外の任意の色として、１画素がＲＧＢＸの４つの単位画素から構成されている自発光型ディスプレイの信号処理回路および信号処理方法であっ、ＲＧＢ信号をＲＧＢＸ信号に変換することができる自発光型ディスプレイの信号処理回路および信号処理方法を提供することを目的とする。
【課題を解決するための手段】
【０００６】
請求項１に記載の発明は、１画素がＲＧＢＷの４つの単位画素から構成されており、ＲＧＢ単位画素には色フィルタが設けられ、Ｗ単位画素には色フィルタが設けられていない自発光型ディスプレイの信号処理回路であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値が設定されている自発光型ディスプレイの信号処理回路において、  ＲＧＢ入力信号のうちの最小値を、ＲＧＢの各入力信号から減算する第１手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２手段、および
上記第２手段によって算出されたＲＧＢＷ信号に対して、第１手段によって算出されたＲＧＢ毎の減算結果を対応する信号に加算することにより、ＲＧＢＷ信号を求める第３手段、
を備えていることを特徴とする。
【０００７】
請求項２に記載の発明は、１画素がＲＧＢＷの４つの単位画素から構成されており、ＲＧＢ単位画素には色フィルタが設けられ、Ｗ単位画素には色フィルタが設けられていない自発光型ディスプレイの信号処理回路において、
予めガンマ補正がかけられているＲＧＢ入力信号に対して逆ガンマ補正を行うことにより、ＲＧＢ入力信号をガンマ補正前のＲＧＢ信号に変換する逆ガンマ補正手段、逆ガンマ補正手段によって得られたＲＧＢ信号をＲＧＢ入力信号とし、ＲＧＢ入力信号をＲＧＢＷ信号に変換するＲＧＢ−ＲＧＢＷ信号変換手段、およびＲＧＢ−ＲＧＢＷ信号変換手段によって得られたＲＧＢＷ信号に対して、自発光型ディスプレイに対応したガンマ補正を行うガンマ補正手段を備えており、
逆ガンマ補正手段によって得られたＲＧＢ信号が全て同じ値であるときに、ＲＧＢのみによって目標の白を実現できるようにＲＧＢの白側リファレンス輝度が設定されているとともに、逆ガンマ補正手段によって得られたＲＧＢ信号の全てが最大値であるときに目標の白を実現するためのＲＧＢＷ信号値が設定されており、
ＲＧＢ−ＲＧＢＷ信号変換手段は、
ＲＧＢ入力信号のうちの最小値を、ＲＧＢの各入力信号から減算する第１手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２手段、および
上記第２手段によって算出されたＲＧＢＷ信号に対して、第１手段によって算出されたＲＧＢ毎の減算結果を対応する信号に加算することにより、ＲＧＢＷ信号を求める第３手段、
を備えていることを特徴とする。
【０００８】
請求項３に記載の発明は、１画素がＲＧＢＷの４つの単位画素から構成されており、ＲＧＢ単位画素には色フィルタが設けられ、Ｗ単位画素には色フィルタが設けられていない自発光型ディスプレイの信号処理回路であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値が設定されている自発光型ディスプレイの信号処理回路において、  ＲＧＢ入力信号のうちの最小値を、ＲＧＢの各入力信号から減算する第１手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２手段、
上記第２手段によって算出されたＲＧＢＷ信号に対して、第１手段によって算出されたＲＧＢ毎の減算結果を対応する信号に加算することにより、ＲＧＢＷ信号を求める第３手段、
第３手段によって算出されたＲＧＢＷ信号におけるＲＧＢ信号うちの最小値が０でない場合には、第３手段によって得られたＲＧＢＷ信号を中間的なＲＧＢＷ信号とし、中間的なＲＧＢＷ信号におけるＲＧＢ信号をＲＧＢ入力信号と見做して、第１手段、第２手段および第３手段と同様な手法でＲＧＢＷ信号を算出するとともに、算出したＲＧＢＷ信号のＷ信号に中間的なＲＧＢＷ信号におけるＷ信号を加算することにより、ＲＧＢＷ信号を生成する第６手段、ならびに
第６手段によって算出されたＲＧＢＷ信号におけるＲＧＢ信号のうちの最小値が０でない場合には、第６手段によって得られたＲＧＢＷ信号を中間的なＲＧＢＷ信号として、第６手段と同様な処理を行う第７手段、
を備えていることを特徴とする。
【０００９】
請求項４に記載の発明は、１画素がＲＧＢＷの４つの単位画素から構成されており、ＲＧＢ単位画素には色フィルタが設けられ、Ｗ単位画素には色フィルタが設けられていない自発光型ディスプレイの信号処理回路において、
予めガンマ補正がかけられているＲＧＢ入力信号に対して逆ガンマ補正を行うことにより、ＲＧＢ入力信号をガンマ補正前のＲＧＢ信号に変換する逆ガンマ補正手段、逆ガンマ補正手段によって得られたＲＧＢ信号をＲＧＢ入力信号とし、ＲＧＢ入力信号をＲＧＢＷ信号に変換するＲＧＢ−ＲＧＢＷ信号変換手段、およびＲＧＢ−ＲＧＢＷ信号変換手段によって得られたＲＧＢＷ信号に対して、自発光型ディスプレイに対応したガンマ補正を行うガンマ補正手段を備えており、
逆ガンマ補正手段によって得られたＲＧＢ信号が全て同じ値であるときに、ＲＧＢのみによって目標の白を実現できるようにＲＧＢの白側リファレンス輝度が設定されているとともに、逆ガンマ補正手段によって得られたＲＧＢ信号の全てが最大値であるときに目標の白を実現するためのＲＧＢＷ信号値が設定されており、
ＲＧＢ−ＲＧＢＷ信号変換手段は、
ＲＧＢ入力信号のうちの最小値を、ＲＧＢの各入力信号から減算する第１手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２手段、
上記第２手段によって算出されたＲＧＢＷ信号に対して、第１手段によって算出されたＲＧＢ毎の減算結果を対応する信号に加算することにより、ＲＧＢＷ信号を求める第３手段、
第３手段によって算出されたＲＧＢＷ信号におけるＲＧＢ信号うちの最小値が０でない場合には、第３手段によって得られたＲＧＢＷ信号を中間的なＲＧＢＷ信号とし、中間的なＲＧＢＷ信号におけるＲＧＢ信号をＲＧＢ入力信号と見做して、第１手段、第２手段および第３手段と同様な手法でＲＧＢＷ信号を算出するとともに、算出したＲＧＢＷ信号のＷ信号に中間的なＲＧＢＷ信号におけるＷ信号を加算することにより、ＲＧＢＷ信号を生成する第６手段、ならびに
第６手段によって算出されたＲＧＢＷ信号におけるＲＧＢ信号のうちの最小値が０でない場合には、第６手段によって得られたＲＧＢＷ信号を中間的なＲＧＢＷ信号として、第６手段と同様な処理を行う第７手段、
を備えていることを特徴とする。
【００１０】
請求項５に記載の発明は、１画素がＲＧＢＷの４つの単位画素から構成されており、ＲＧＢ単位画素には色フィルタが設けられ、Ｗ単位画素には色フィルタが設けられていない自発光型ディスプレイの信号処理回路であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値が設定されている自発光型ディスプレイの信号処理回路において、  ＲＧＢ入力信号の全てが最大値であるときに目標の白を実現するためのＲＧＢＷ信号値に基づいて、そのＷの信号値に対するそのＲＧＢの各信号値の割合を、ＲＧＢ毎のフィードバック率として算出する第１手段、
ＲＧＢ毎に、ＲＧＢ入力信号を初項とし、ＲＧＢ毎のフィードバック率を公比とする無限等比級数の和を算出する第２手段、
第２手段によってＲＧＢ毎に算出された無限等比級数の和のうちの最小値を、ＲＧＢの各入力信号から減算する第３手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第４手段、および
上記第４手段によって算出されたＲＧＢＷ信号に対して、第３手段によって算出されたＲＧＢ毎の減算結果を対応する信号に加算することにより、ＲＧＢＷ信号を求める第５手段、
を備えていることを特徴とする。
【００１１】
請求項６に記載の発明は、１画素がＲＧＢＷの４つの単位画素から構成されており、ＲＧＢ単位画素には色フィルタが設けられ、Ｗ単位画素には色フィルタが設けられていない自発光型ディスプレイの信号処理回路において、
予めガンマ補正がかけられているＲＧＢ入力信号に対して逆ガンマ補正を行うことにより、ＲＧＢ入力信号をガンマ補正前のＲＧＢ信号に変換する逆ガンマ補正手段、逆ガンマ補正手段によって得られたＲＧＢ信号をＲＧＢ入力信号とし、ＲＧＢ入力信号をＲＧＢＷ信号に変換するＲＧＢ−ＲＧＢＷ信号変換手段、およびＲＧＢ−ＲＧＢＷ信号変換手段によって得られたＲＧＢＷ信号に対して、自発光型ディスプレイに対応したガンマ補正を行うガンマ補正手段を備えており、
逆ガンマ補正手段によって得られたＲＧＢ信号が全て同じ値であるときに、ＲＧＢのみによって目標の白を実現できるようにＲＧＢの白側リファレンス輝度が設定されているとともに、逆ガンマ補正手段によって得られたＲＧＢ信号の全てが最大値であるときに目標の白を実現するためのＲＧＢＷ信号値が設定されており、
ＲＧＢ−ＲＧＢＷ信号変換手段は、
ＲＧＢ入力信号の全てが最大値であるときに目標の白を実現するためのＲＧＢＷ信号値に基づいて、そのＷの信号値に対するそのＲＧＢの各信号値の割合を、ＲＧＢ毎のフィードバック率として算出する第１手段、
ＲＧＢ毎に、ＲＧＢ入力信号を初項とし、ＲＧＢ毎のフィードバック率を公比とする無限等比級数の和を算出する第２手段、
第２手段によってＲＧＢ毎に算出された無限等比級数の和のうちの最小値を、ＲＧＢの各入力信号から減算する第３手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第４手段、および
上記第４手段によって算出されたＲＧＢＷ信号に対して、第３手段によって算出されたＲＧＢ毎の減算結果を対応する信号に加算することにより、ＲＧＢＷ信号を求める第５手段、
を備えていることを特徴とする。
【００１２】
請求項７に記載の発明は、１画素がＲＧＢＷの４つの単位画素から構成されており、ＲＧＢ単位画素には色フィルタが設けられ、Ｗ単位画素には色フィルタが設けられていない自発光型ディスプレイの信号処理方法であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値が設定されている自発光型ディスプレイの信号処理方法において、  ＲＧＢ入力信号のうちの最小値を、ＲＧＢの各入力信号から減算する第１ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２ステップ、および
上記第２ステップによって算出されたＲＧＢＷ信号に対して、第１ステップによって算出されたＲＧＢ毎の減算結果を対応する信号に加算することにより、ＲＧＢＷ信号を求める第３ステップ、
を備えていることを特徴とする。
【００１３】
請求項８に記載の発明は、１画素がＲＧＢＷの４つの単位画素から構成されており、ＲＧＢ単位画素には色フィルタが設けられ、Ｗ単位画素には色フィルタが設けられていない自発光型ディスプレイの信号処理方法において、
予めガンマ補正がかけられているＲＧＢ入力信号に対して逆ガンマ補正を行うことにより、ＲＧＢ入力信号をガンマ補正前のＲＧＢ信号に変換する逆ガンマ補正手段、逆ガンマ補正手段によって得られたＲＧＢ信号をＲＧＢ入力信号とし、ＲＧＢ入力信号をＲＧＢＷ信号に変換するＲＧＢ−ＲＧＢＷ信号変換手段、およびＲＧＢ−ＲＧＢＷ信号変換手段によって得られたＲＧＢＷ信号に対して、自発光型ディスプレイに対応したガンマ補正を行うガンマ補正手段を備えており、
逆ガンマ補正手段によって得られたＲＧＢ信号が全て同じ値であるときに、ＲＧＢのみによって目標の白を実現できるようにＲＧＢの白側リファレンス輝度が設定されているとともに、逆ガンマ補正手段によって得られたＲＧＢ信号の全てが最大値であるときに目標の白を実現するためのＲＧＢＷ信号値が設定されており、
ＲＧＢ−ＲＧＢＷ信号変換ステップは、
ＲＧＢ入力信号のうちの最小値を、ＲＧＢの各入力信号から減算する第１ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２ステップ、および
上記第２ステップによって算出されたＲＧＢＷ信号に対して、第１ステップによって算出されたＲＧＢ毎の減算結果を対応する信号に加算することにより、ＲＧＢＷ信号を求める第３ステップ、
を備えていることを特徴とする。
【００１４】
請求項９に記載の発明は、１画素がＲＧＢＷの４つの単位画素から構成されており、ＲＧＢ単位画素には色フィルタが設けられ、Ｗ単位画素には色フィルタが設けられていない自発光型ディスプレイの信号処理方法であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値が設定されている自発光型ディスプレイの信号処理方法において、  ＲＧＢ入力信号のうちの最小値を、ＲＧＢの各入力信号から減算する第１ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２ステップ、
上記第２ステップによって算出されたＲＧＢＷ信号に対して、第１ステップによって算出されたＲＧＢ毎の減算結果を対応する信号に加算することにより、ＲＧＢＷ信号を求める第３ステップ、
第３ステップによって算出されたＲＧＢＷ信号におけるＲＧＢ信号うちの最小値が０でない場合には、第３ステップによって得られたＲＧＢＷ信号を中間的なＲＧＢＷ信号とし、中間的なＲＧＢＷ信号におけるＲＧＢ信号をＲＧＢ入力信号と見做して、第１ステップ、第２ステップおよび第３ステップと同様な手法でＲＧＢＷ信号を算出するとともに、算出したＲＧＢＷ信号のＷ信号に中間的なＲＧＢＷ信号におけるＷ信号を加算することにより、ＲＧＢＷ信号を生成する第６ステップ、ならびに
第６ステップによって算出されたＲＧＢＷ信号におけるＲＧＢ信号のうちの最小値が０でない場合には、第６ステップによって得られたＲＧＢＷ信号を中間的なＲＧＢＷ信号として、第６ステップと同様な処理を行う第７ステップ、
を備えていることを特徴とする。
【００１５】
請求項１０に記載の発明は、１画素がＲＧＢＷの４つの単位画素から構成されており、ＲＧＢ単位画素には色フィルタが設けられ、Ｗ単位画素には色フィルタが設けられていない自発光型ディスプレイの信号処理方法において、
予めガンマ補正がかけられているＲＧＢ入力信号に対して逆ガンマ補正を行うことにより、ＲＧＢ入力信号をガンマ補正前のＲＧＢ信号に変換する逆ガンマ補正ステップ、逆ガンマ補正ステップによって得られたＲＧＢ信号をＲＧＢ入力信号とし、ＲＧＢ入力信号をＲＧＢＷ信号に変換するＲＧＢ−ＲＧＢＷ信号変換ステップ、およびＲＧＢ−ＲＧＢＷ信号変換手段によって得られたＲＧＢＷ信号に対して、自発光型ディスプレイに対応したガンマ補正を行うガンマ補正ステップを備えており、
逆ガンマ補正ステップによって得られたＲＧＢ信号が全て同じ値であるときに、ＲＧＢのみによって目標の白を実現できるようにＲＧＢの白側リファレンス輝度が設定されているとともに、逆ガンマ補正手段によって得られたＲＧＢ信号の全てが最大値であるときに目標の白を実現するためのＲＧＢＷ信号値が設定されており、
ＲＧＢ−ＲＧＢＷ信号変換ステップは、
ＲＧＢ入力信号のうちの最小値を、ＲＧＢの各入力信号から減算する第１ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２ステップ、
上記第２ステップによって算出されたＲＧＢＷ信号に対して、第１ステップによって算出されたＲＧＢ毎の減算結果を対応する信号に加算することにより、ＲＧＢＷ信号を求める第３ステップ、
第３ステップによって算出されたＲＧＢＷ信号におけるＲＧＢ信号うちの最小値が０でない場合には、第３ステップによって得られたＲＧＢＷ信号を中間的なＲＧＢＷ信号とし、中間的なＲＧＢＷ信号におけるＲＧＢ信号をＲＧＢ入力信号と見做して、第１ステップ、第２ステップおよび第３ステップと同様な手法でＲＧＢＷ信号を算出するとともに、算出したＲＧＢＷ信号のＷ信号に中間的なＲＧＢＷ信号におけるＷ信号を加算することにより、ＲＧＢＷ信号を生成する第６ステップ、ならびに
第６ステップによって算出されたＲＧＢＷ信号におけるＲＧＢ信号のうちの最小値が０でない場合には、第６ステップによって得られたＲＧＢＷ信号を中間的なＲＧＢＷ信号として、第６ステップと同様な処理を行う第７ステップ、
を備えていることを特徴とする。
【００１６】
請求項１１に記載の発明は、１画素がＲＧＢＷの４つの単位画素から構成されており、ＲＧＢ単位画素には色フィルタが設けられ、Ｗ単位画素には色フィルタが設けられていない自発光型ディスプレイの信号処理方法であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値が設定されている自発光型ディスプレイの信号処理方法において、
ＲＧＢ入力信号の全てが最大値であるときに目標の白を実現するためのＲＧＢＷ信号値に基づいて、そのＷの信号値に対するそのＲＧＢの各信号値の割合を、ＲＧＢ毎のフィードバック率として算出する第１ステップ、
ＲＧＢ毎に、ＲＧＢ入力信号を初項とし、ＲＧＢ毎のフィードバック率を公比とする無限等比級数の和を算出する第２ステップ、
第２ステップによってＲＧＢ毎に算出された無限等比級数の和のうちの最小値を、ＲＧＢの各入力信号から減算する第３ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第４ステップ、および
上記第４ステップによって算出されたＲＧＢＷ信号に対して、第３ステップによって算出されたＲＧＢ毎の減算結果を対応する信号に加算することにより、ＲＧＢＷ信号を求める第５ステップ、
を備えていることを特徴とする。
【００１７】
請求項１２に記載の発明は、１画素がＲＧＢＷの４つの単位画素から構成されており、ＲＧＢ単位画素には色フィルタが設けられ、Ｗ単位画素には色フィルタが設けられていない自発光型ディスプレイの信号処理方法において、
予めガンマ補正がかけられているＲＧＢ入力信号に対して逆ガンマ補正を行うことにより、ＲＧＢ入力信号をガンマ補正前のＲＧＢ信号に変換する逆ガンマ補正ステップ、逆ガンマ補正ステップによって得られたＲＧＢ信号をＲＧＢ入力信号とし、ＲＧＢ入力信号をＲＧＢＷ信号に変換するＲＧＢ−ＲＧＢＷ信号変換ステップ、およびＲＧＢ−ＲＧＢＷ信号変換手段によって得られたＲＧＢＷ信号に対して、自発光型ディスプレイに対応したガンマ補正を行うガンマ補正ステップを備えており、
逆ガンマ補正ステップによって得られたＲＧＢ信号が全て同じ値であるときに、ＲＧＢのみによって目標の白を実現できるようにＲＧＢの白側リファレンス輝度が設定されているとともに、逆ガンマ補正手段によって得られたＲＧＢ信号の全てが最大値であるときに目標の白を実現するためのＲＧＢＷ信号値が設定されており、
ＲＧＢ−ＲＧＢＷ信号変換ステップは、
ＲＧＢ入力信号の全てが最大値であるときに目標の白を実現するためのＲＧＢＷ信号値に基づいて、そのＷの信号値に対するそのＲＧＢの各信号値の割合を、ＲＧＢ毎のフィードバック率として算出する第１ステップ、
ＲＧＢ毎に、ＲＧＢ入力信号を初項とし、ＲＧＢ毎のフィードバック率を公比とする無限等比級数の和を算出する第２ステップ、
第２ステップによってＲＧＢ毎に算出された無限等比級数の和のうちの最小値を、ＲＧＢの各入力信号から減算する第３ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第４ステップ、および
上記第４ステップによって算出されたＲＧＢＷ信号に対して、第３ステップによって算出されたＲＧＢ毎の減算結果を対応する信号に加算することにより、ＲＧＢＷ信号を求める第５ステップ、
を備えていることを特徴とする。
【００１８】
請求項１３に記載の発明は、ＸをＲＧＢ以外の任意の色として、１画素がＲＧＢＸの４つの単位画素から構成されている自発光型ディスプレイの信号処理回路であって、ＲＧＢ信号によってＸの色度および最大輝度を実現できるＲＧＢ信号値が設定されている自発光型ディスプレイの信号処理回路において、
ＲＧＢ入力信号をＲＧＢＸ信号に変換するＲＧＢ−ＲＧＢＸ信号変換手段を備えており、
ＲＧＢ−ＲＧＢＸ信号変換手段は、
上記Ｘの色度および最大輝度を実現するためのＲＧＢ信号値に基づいて、ＲＧＢ入力信号のうちからＸ信号に変換され得るＲＧＢ信号成分であって、ＲＧＢ入力信号からＸ信号に変換され得るＲＧＢ信号成分を減算した場合に、ＲＧＢの減算結果のうちの少なくとも１つが０となるようなＲＧＢ信号成分を算出する第１手段、
ＲＧＢ入力信号から第１手段によって算出されたＲＧＢ信号成分を減算し、その減算結果をＲＧＢ信号として出力する第２手段、および
第１手段によって算出されたＲＧＢ信号成分に相当するＸ信号を、Ｘ信号として出力する第３手段、
を備えていることを特徴とする。
【００１９】
請求項１４に記載の発明は、ＸをＲＧＢ以外の任意の色として、１画素がＲＧＢＸの４つの単位画素から構成されている自発光型ディスプレイの信号処理回路において、
予めガンマ補正がかけられているＲＧＢ入力信号に対して逆ガンマ補正を行うことにより、ＲＧＢ入力信号をガンマ補正前のＲＧＢ信号に変換する逆ガンマ補正手段、逆ガンマ補正手段によって得られたＲＧＢ信号をＲＧＢ入力信号とし、ＲＧＢ入力信号をＲＧＢＸ信号に変換するＲＧＢ−ＲＧＢＸ信号変換手段およびＲＧＢ−ＲＧＢＸ信号変換手段によって得られたＲＧＢＸ信号に対して自発光型ディスプレイに対応したガンマ補正を行うガンマ補正手段を備えており、
逆ガンマ補正手段によって得られるガンマ補正前のＲＧＢ信号を対象として、ＲＧＢ信号によってＸの色度および最大輝度を実現するためのＲＧＢ信号値が設定されており、
ＲＧＢ−ＲＧＢＸ信号変換手段は、
上記Ｘの色度および最大輝度を実現するためのＲＧＢ信号値に基づいて、ＲＧＢ入力信号のうちからＸ信号に変換され得るＲＧＢ信号成分であって、ＲＧＢ入力信号からＸ信号に変換され得るＲＧＢ信号成分を減算した場合に、ＲＧＢの減算結果のうちの少なくとも１つが０となるようなＲＧＢ信号成分を算出する第１手段、
ＲＧＢ入力信号から第１手段によって算出されたＲＧＢ信号成分を減算し、その減算結果をＲＧＢ信号として出力する第２手段、および
第１手段によって算出されたＲＧＢ信号成分に相当するＸ信号を、Ｘ信号として出力する第３手段、
を備えていることを特徴とする。
【００２０】
請求項１５に記載の発明は、ＸをＲＧＢ以外の任意の色として、１画素がＲＧＢＸの４つの単位画素から構成されている自発光型ディスプレイの信号処理方法であって、ＲＧＢ信号によってＸの色度および最大輝度を実現できるＲＧＢ信号値が設定されている自発光型ディスプレイの信号処理方法において、
ＲＧＢ入力信号をＲＧＢＸ信号に変換するＲＧＢ−ＲＧＢＸ信号変換ステップを備えており、
ＲＧＢ−ＲＧＢＸ信号変換ステップは、
上記Ｘの色度および最大輝度を実現するためのＲＧＢ信号値に基づいて、ＲＧＢ入力信号のうちからＸ信号に変換され得るＲＧＢ信号成分であって、ＲＧＢ入力信号からＸ信号に変換され得るＲＧＢ信号成分を減算した場合に、ＲＧＢの減算結果のうちの少なくとも１つが０となるようなＲＧＢ信号成分を算出する第１ステップ、
ＲＧＢ入力信号から第１ステップによって算出されたＲＧＢ信号成分を減算し、その減算結果をＲＧＢ信号として出力する第２ステップ、および
第１ステップによって算出されたＲＧＢ信号成分に相当するＸ信号を、Ｘ信号として出力する第３ステップ、
を備えていることを特徴とする。
【００２１】
請求項１６に記載の発明は、ＸをＲＧＢ以外の任意の色として、１画素がＲＧＢＸの４つの単位画素から構成されている自発光型ディスプレイの信号処理方法において、
予めガンマ補正がかけられているＲＧＢ入力信号に対して逆ガンマ補正を行うことにより、ＲＧＢ入力信号をガンマ補正前のＲＧＢ信号に変換する逆ガンマ補正ステップ、逆ガンマ補正ステップによって得られたＲＧＢ信号をＲＧＢ入力信号とし、ＲＧＢ入力信号をＲＧＢＸ信号に変換するＲＧＢ−ＲＧＢＸ信号変換ステップおよびＲＧＢ−ＲＧＢＸ信号変換ステップによって得られたＲＧＢＸ信号に対して自発光型ディスプレイに対応したガンマ補正を行うガンマ補正ステップを備えており、
逆ガンマ補正ステップによって得られるガンマ補正前のＲＧＢ信号を対象として、ＲＧＢ信号によってＸの色度および最大輝度を実現するためのＲＧＢ信号値が設定されており、
ＲＧＢ−ＲＧＢＸ信号変換ステップは、
上記Ｘの色度および最大輝度を実現するためのＲＧＢ信号値に基づいて、ＲＧＢ入力信号のうちからＸ信号に変換され得るＲＧＢ信号成分であって、ＲＧＢ入力信号からＸ信号に変換され得るＲＧＢ信号成分を減算した場合に、ＲＧＢの減算結果のうちの少なくとも１つが０となるようなＲＧＢ信号成分を算出する第１ステップ、
ＲＧＢ入力信号から第１ステップによって算出されたＲＧＢ信号成分を減算し、その減算結果をＲＧＢ信号として出力する第２ステップ、および
第１ステップによって算出されたＲＧＢ信号成分に相当するＸ信号を、Ｘ信号として出力する第３ステップ、
を備えていることを特徴とする。
【発明の効果】
【００２２】
この発明によれば、１画素がＲＧＢＷの４つの単位画素から構成されており、ＲＧＢ単位画素には色フィルタが設けられ、Ｗ単位画素には色フィルタが設けられていない自発光型ディスプレイの信号処理回路および信号処理方法でおいて、低消費電力化が図れるようになる。
【００２３】
また、この発明によれば、ＸをＲＧＢ以外の任意の色として、１画素がＲＧＢＸの４つの単位画素から構成されている自発光型ディスプレイの信号処理回路および信号処理方法において、ＲＧＢ信号をＲＧＢＸ信号に変換することができるようになる。
【発明を実施するための最良の形態】
【００２４】
以下、図面を参照して、この発明の実施例について説明する。
【実施例１】
【００２５】
〔Ａ〕ＲＧＢ−ＲＧＢＷ信号変換に関する発明の説明
本発明は、白発光材料にカラーフィルタが張りつけられている有機ＥＬディスプレイのような自発光型ディスプレイを対象としている。このように自発光型ディスプレイにおいて、図１に示すように、１画素を４つの単位画素で構成し、そのうちの３つの単位画素に３原色、たとえば、Ｒ（赤），Ｇ（緑），Ｂ（青）を表示するためのカラーフィルタを配置している。残りの１つの単位画素を、カラーフィルタを配置していない白（Ｗ）表示専用としている。
【００２６】
このようなＲＧＢＷ配列では、白表示専用の単位画素は、カラーフィルタが存在していないため、光の利用効率は非常に高い。したがって、例えば、白１００％を表示するときには、ＲＧＢ表示用の単位画素を発光させて白１００％を表示するのではなく、白表示専用の単位画素を発光させて白１００％を表示させれば、大幅な低消費電力化が図れる。
【００２７】
しかしながら、実際には、白発光材料によって得られる白の色度は、目標とする白の色度となっていない場合が多く、白表示専用の単位画素の白発光に対して、ＲＧＢ表示用の単位画素の発光を付加する必要がある。
【００２８】
そこで、本発明では、白発光材料によって得られる白の色度が目標とする白の色度と異なる場合に、ＲＧＢ入力信号をＲＧＢＷ信号に変換するための信号処理の手法を提案する。
【００２９】
〔１〕表示装置の構成の説明
図２は、表示装置の構成を示している。
ＲＧＢ−ＲＧＢＷ信号変換回路１には、デジタルのＲＧＢ入力信号が入力される。ＲＧＢ−ＲＧＢＷ信号変換回路１は、ＲＧＢ入力信号をＲＧＢＷ信号に変換する。ＲＧＢ−ＲＧＢＷ信号変換回路１によって得られたＲＧＢＷ信号は、Ｄ／Ａ変換回路２によってアナログのＲＧＢＷ信号に変換される。Ｄ／Ａ変換回路２によって得られたＲＧＢＷ信号は、１画素がＲＧＢＷの４つの単位画素で構成された有機ＥＬディスプレイ３に送られる。
【００３０】
〔２〕ＲＧＢ−ＲＧＢＷ信号変換の基本的な考え方の説明
図３に示すような、ＲＧＢ入力信号を想定する。なお、説明の便宜上、ＲＧＢ入力信号には、予めガンマ補正がかけられていないものとする。また、ＲＧＢのみで目標の白の輝度および色度を実現するようなＲＧＢ輝度がＲＧＢの白側リファレンス輝度（Ｄ／Ａ変換回路２のＲＧＢに対する白側リファレンス電圧）として予め設定されているものとする。なお、Ｗの白側リファレンス輝度は、Ｗのみ表示したときに目標輝度（後述する図９のステップＳ４で決定されるＷの輝度）となるように調整される。
【００３１】
この例では、ＲＧＢ入力信号値は、８ビットで表され、Ｒ＝２００，Ｇ＝１００，Ｂ＝１７０であるとする。ＲＧＢ入力信号値の最小値は１００であるので、ＲＧＢ入力信号値を、図４に示すように、それらの最小値（ｍｉｎ（ＲＧＢ））と、図５に示すように、残りの値（入力信号−ｍｉｎ（ＲＧＢ））とに分解する。図４の場合、ＲＧＢ入力信号値が全て１００の場合の目標の白Ｗt （１００）と等価となっている。
【００３２】
ＲＧＢ入力信号値が全て２５５の場合の目標の白Ｗt （２５５）を表現するためのＲＧＢＷの信号値が図６に示すような信号値（７７，０，２０４，２５５）であるとすると、ＲＧＢ入力信号値が全て１００の場合の目標の白Ｗt （１００）を実現するためのＲＧＢＷの信号値は図７に示すようになる。
【００３３】
図６に示すような信号値については、目標白を実現するためのＲＧＢ輝度値およびＲＧＢＷ輝度値から求めることができる。ＲＧＢ入力信号値が全て２５５の場合の目標白を実現するためのＲＧＢＷ信号値を（Ｒ１，Ｇ１，Ｂ１，Ｗ１）とする。目標白の輝度および色度を実現するためのＲＧＢ輝度値を（ＬＲ１，ＬＧ１，ＬＢ１）、目標白の輝度および色度を実現するためのＲＧＢＷ輝度値を（ＬＲ２，ＬＧ２，ＬＢ２，ＬＷ２）とすると、ＲＧＢ入力信号値が全て２５５の場合の目標白を実現するためのＲＧＢＷ信号値は、（Ｒ１＝２５５×ＬＲ２／ＬＲ１，Ｇ１＝２５５×ＬＧ２／ＬＧ１，Ｂ１＝２５５×ＬＢ２／ＬＢ１，Ｗ１＝２５５）となる。特に、Ｗに関しては、ＲＧＢＷ表示系のみでしか定義できないので、一意に２５５となる。なお、目標白の輝度および色度を実現するためのＲＧＢ輝度値およびＲＧＢＷ輝度値の求め方については後述する。
【００３４】
図７のＲ，Ｇ，Ｂ，Ｗは、次式（１）によって求められる。
【００３５】
Ｒ＝７７×１００／２５５＝３０
Ｇ＝０×１００／２５５＝０
Ｂ＝２０４×１００／２５５＝８０
Ｗ＝２５５×１００／２５５＝１００        …（１）
【００３６】
そこで、図４のＲＧＢ値を、図７のＲＧＢＷ値と置き換える。したがって、図３に示すＲＧＢ値は、図５のＲＧＢ値と図７のＲＧＢＷ値とを加算することにより、図８に示すＲＧＢＷ値に変換される。
【００３７】
図８のＲ，Ｇ，Ｂ，Ｗは、次式（２）によって求められる。
【００３８】
Ｒ＝１００＋３０＝３０
Ｇ＝０＋０＝０
Ｂ＝７０＋８０＝１５０
Ｗ＝０＋１００＝１００      …（２）
【００３９】
ＲＧＢの白側リファレンス輝度（目標白の輝度および色度を実現するためのＲＧＢ輝度値）、目標白の輝度および色度を表現するためのＲＧＢＷの輝度値、ならびにＲＧＢ入力信号値が全て２５５の場合の目標白を実現するためのＲＧＢＷ信号値は、予めパネル調整処理によって求められている。
【００４０】
〔３〕ＲＧＢ−ＲＧＢＷ信号変換処理についての説明
【００４１】
図９は、パネル調整処理手順を示している。
【００４２】
目標の白Ｗt の輝度ＬWtおよび色度座標（ｘWt，ｙWt  ）を設定する（ステップＳ１）。
【００４３】
次に、有機ＥＬディスプレイ３のＲＧＢＷの色度を測定する（ステップＳ２）。例えば、Ｒの色度を測定する場合には、有機ＥＬディスプレイ３のＲ表示用の単位画素のみを発光させて、その色度を光学測定器によって測定する。測定されたＲＧＢＷの色度座標を、それぞれ（ｘR ，ｙR ），（ｘG ，ｙG ），（ｘB ，ｙB ），（ｘW ，ｙW ）とする。
【００４４】
次に、ＲＧＢによるホワイトバランス（ＷＢ）調整時のＲＧＢの輝度値を算出する（ステップＳ３）。つまり、ＲＧＢの３色によって、目標の白Ｗt の輝度ＬWtおよび色度（ｘWt，ｙWt  ）を表現する際のＲＧＢの輝度値ＬR （上記ＬＲ１に相当する），ＬG （上記ＬＧ１に相当する），ＬB （上記ＬＢ１に相当する）を算出する。この輝度値ＬR ，ＬG ，ＬB は、次式（３）から求められる。
【００４５】
【数１】
2006133711.tif 000003
【００４６】
ただし、ｚR ＝１−ｘR −ｙR 、ｚG ＝１−ｘG −ｙG 、ｚB ＝１−ｘB −ｙB 、ｚWt＝１−ｘWt−ｙWtである。
【００４７】
次に、ＲＧＢＷによるホワイトバランス（ＷＢ）調整時のＲＧＢＷの輝度値を算出する（ステップＳ４）。つまり、ＲＧＢＷの４色によって、目標の白Ｗt の輝度ＬWtおよび色度（ｘWt，ｙWt  ）を表現する際のＲＧＢＷの輝度値ＬR （上記ＬＲ２に相当する），ＬG （上記ＬＧ２に相当する），ＬB （上記ＬＢ２に相当する），ＬW （上記ＬＷ２に相当する）を算出する。
【００４８】
ＲＧＢＷの色度座標（ｘR ，ｙR ），（ｘG ，ｙG ），（ｘB ，ｙB ），（ｘW ，ｙW ）と、目標の白Ｗt の色度座標（ｘWt，ｙWt  ）とが、図１０に示すような関係にあるとすると、目標の白Ｗt の色度を、ＲＢＷの３色のみによって表現することが可能である。ＲＢＷの３色によって、目標の白Ｗt の輝度ＬWtおよび色度（ｘWt，ｙWt  ）を表現する際のＲＢＷの輝度値ＬR （上記ＬＲ２に相当），ＬB （上記ＬＢ２に相当），ＬW （上記ＬＷ２に相当）は、次式（４）から求められる。この場合上記ＬＧ２に相当するＬG は０となる。
【００４９】
【数２】
2006133711.tif 000004
【００５０】
ただし、ｚR ＝１−ｘR −ｙR 、ｚW ＝１−ｘW −ｙW 、ｚB ＝１−ｘB −ｙB 、ｚWt＝１−ｘWt−ｙWtである。
【００５１】
次に、上記ステップＳ３の算出結果を用いて、ＲＧＢの白側リファレンス輝度を算出する（ステップＳ５）。
【００５２】
ＲＧＢ入力信号値が８ビットで表される場合、ＲＧＢの白側リファレンス輝度は、ＲＧＢ信号として（２５５，２５５，２５５）を入力したときに、発光輝度および発光色が目標の白Ｗt の輝度ＬWtおよび色度（ｘWt，ｙWt  ）となるように調整される。つまり、ＲＧＢ信号として（２５５，２５５，２５５）を入力したときに、ＲＧＢの輝度がそれぞれ上記ステップＳ３で算出した輝度値ＬR ，ＬG ，ＬB となるように、ＲＧＢの白側リファレンス輝度が調整される。このようにＲＧＢの白側リファレンス輝度が調整されると、入力ＲＧＢ信号が同値の場合、発光色は必ず目標の白の色度となる。なお、Ｗの白側リファレンス輝度は、Ｗのみ表示したときに目標輝度（図９のステップＳ４で決定されたＷの輝度値ＬW ）となるように調整される。
【００５３】
なお、ＲＧＢ入力信号値が全て２５５の場合の目標白Ｗt （２５５）を実現するためのＲＧＢＷ信号値は、パネル調整処理のステップＳ３で算出された輝度値ＬR （上記ＬＲ１に相当する），ＬG （上記ＬＧ１に相当する），ＬB （上記ＬＢ１に相当する）と、上記ステップＳ４で算出された輝度値ＬR （上記ＬＲ２に相当する），ＬG （上記ＬＧ２に相当する），ＬB （上記ＬＢ２に相当する），ＬW （上記ＬＷ２に相当する）から予め算出される。
【００５４】
図１１は、ＲＧＢ入力信号をＲＧＢＷ信号に変換するための信号変換処理の手順を示している。
【００５５】
まず、ＲＧＢ入力信号中の最小値（ｍｉｎ（ＲＧＢ））を決定する（ステップＳ１１）。図３の例では、ｍｉｎ（ＲＧＢ）＝１００となる。
【００５６】
次に、各ＲＧＢ入力信号からｍｉｎ（ＲＧＢ）を減算する（ステップＳ１２）。図３の例では、図５に示すように、ＲＧＢに対する減算結果は、それぞれ１００，０，７０となる。
【００５７】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ１３）。目標白Ｗt （２５５）を実現するためのＲＧＢＷ信号値が、図６で示すような信号値であるとすると、図３の例では、ｍｉｎ（ＲＧＢ）に対応するＲＧＢＷ信号の信号値は図７に示すようなる。
【００５８】
次に、上記ステップＳ１２で算出した減算値｛ＲＧＢ−ｍｉｎ（ＲＧＢ）｝に上記ステップＳ１３で求められたＲＧＢＷ信号の信号値を加算することにより、ＲＧＢ入力信号に対応するＲＧＢＷ信号を算出する（ステップＳ１４）。図３の例では、ＲＧＢ入力信号に対応するＲＧＢＷ信号は図８に示すようになる。
【００５９】
〔４〕ＲＧＢ−ＲＧＢＷ信号変換処理の第１変形例の説明
【００６０】
目標の白の色度をＲＢＷの３色のみによって表現することが可能な場合においてＲＧＢ入力信号の中の最小値がＧ信号である場合には、図１１のステップＳ１１〜ステップＳ１４の処理（ＲＧＢ−ＲＧＢＷ変換ルーチン）によって、ＲＧＢ信号の１つの信号（Ｇ信号）が０となるＲＧＢＷ信号が得られる。
【００６１】
同様に、目標の白の色度をＲＧＷの３色のみによって表現することが可能な場合においてＲＧＢ入力信号の中の最小値がＢ信号である場合にも、図１１のステップＳ１１〜ステップＳ１４の処理（ＲＧＢ−ＲＧＢＷ変換ルーチン）によって、ＲＧＢ信号の１つの信号（Ｂ信号）が０となるＲＧＢＷ信号が得られる。また、目標の白の色度をＧＢＷの３色のみによって表現することが可能な場合においてＲＧＢ入力信号の中の最小値がＲ信号である場合にも、図１１のステップＳ１１〜ステップＳ１４の処理（ＲＧＢ−ＲＧＢＷ変換ルーチン）によって、ＲＧＢ信号の１つの信号（Ｒ信号）が０となるＲＧＢＷ信号が得られる。
【００６２】
しかしながら、目標の白の色度をＲＢＷの３色のみによって表現することが可能な場合においてＲＧＢ入力信号の中の最小値がＧ信号以外の色の信号である場合、目標の白の色度をＲＧＷの３色のみによって表現することが可能な場合においてＲＧＢ入力信号の中の最小値がＢ信号以外の色の信号である場合、および目標の白の色度をＧＢＷの３色のみによって表現することが可能な場合においてＲＧＢ入力信号の中の最小値がＲ信号以外の色の信号である場合には、図１１のステップＳ１１〜ステップＳ１４の処理（ＲＧＢ−ＲＧＢＷ変換ルーチン）を１回行うだけでは、得られたＲＧＢＷ信号におけるＲＧＢ信号中の１つの信号が０とならない。
【００６３】
つまり、条件によっては、ＲＧＢ−ＲＧＢＷ変換ルーチンを１回行うだけでは、得られたＲＧＢＷ信号におけるＲＧＢ信号中の１つの信号が０とならない。
【００６４】
ＲＧＢＷ信号におけるＲＧＢ信号中の１つの信号が０となるように、ＲＧＢ入力信号をＲＧＢＷ信号に変換した方が、Ｗ信号の大きさが大きくなり、発光効率が高くなり、低消費電力化が図れる。
【００６５】
そこで、第１変形例では、条件にかかわらず、ＲＧＢ信号中の１つの信号が０となるようなＲＧＢＷ信号が得られる信号変換方法を提案する。
【００６６】
図１２は、ＲＧＢ入力信号をＲＧＢＷ信号に変換するための信号変換処理の手順を示している。
【００６７】
ＲＧＢ入力信号値が全て２５５の場合の目標の白Ｗt （２５５）を表現するためのＲＧＢＷの信号値が図６で示すような信号値であるとする。
【００６８】
まず、ＲＧＢ入力信号中の最小値（ｍｉｎ（ＲＧＢ））を決定する（ステップＳ２１）。図１３に示すように、ＲＧＢ入力信号値が、Ｒ＝２００，Ｇ＝１７０，Ｂ＝１００であるとすると、図１５に示すように、ｍｉｎ（ＲＧＢ）＝１００となる。
【００６９】
次に、各ＲＧＢ入力信号からｍｉｎ（ＲＧＢ）を減算する（ステップＳ２２）。図１３の例では、図１４に示すように、ＲＧＢに対する減算結果は、それぞれ１００，７０，０となる。つまり、ＲＧＢ入力信号は、図１４のＲＧＢ信号値と、図１５のＲＧＢ信号値とに分解される。
【００７０】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ２３）。目標白Ｗt （２５５）を実現するためのＲＧＢＷ信号値が、図６で示すような信号値であるとすると、図１３の例では、ｍｉｎ（ＲＧＢ）に対応するＲＧＢＷ信号の信号値は図１６（図７と同じ）に示すようなる。
【００７１】
次に、上記ステップＳ２２で求められた減算値｛ＲＧＢ−ｍｉｎ（ＲＧＢ）｝に上記ステップＳ２３で求められたＲＧＢＷ信号の信号値を加算することにより、ＲＧＢ入力信号に対応するＲＧＢＷ信号を算出する（ステップＳ２４）。図１３の例では、ＲＧＢ入力信号に対応するＲＧＢＷ信号は図１７に示すようになる。
【００７２】
図１７のＲ，Ｇ，Ｂ，Ｗは、次式（５）によって求められる。
【００７３】
Ｒ＝１００＋３０＝１３０
Ｇ＝７０＋０＝７０
Ｂ＝０＋８０＝８０
Ｗ＝０＋１００＝１００      …（５）
【００７４】
次に、得られたＲＧＢＷ信号におけるＲＧＢ信号の最小値が０であるか否かを判別する（ステップＳ２５）。得られたＲＧＢＷ信号におけるＲＧＢ信号の最小値が０である場合には、信号変換処理を終了する。つまり、上記ステップＳ２４で得られたＲＧＢＷ信号がＲＧＢＷ出力信号となる。
【００７５】
得られたＲＧＢＷ信号におけるＲＧＢ信号の最小値が０でない場合には、得られたＲＧＢＷ信号を入力ＲＧＢＷ信号と見做して、上記ステップＳ２１〜Ｓ２４で行った処理（ＲＧＢ−ＲＧＢＷ変換ルーチン）と同様な処理を再度行う。
【００７６】
つまり、ＲＧＢＷ信号におけるＲＧＢ信号の最小値が０でない場合には、図１８に示すように、得られたＲＧＢＷ信号をＲ1 Ｇ1 Ｂ1 Ｗ1 入力信号とする。そして、Ｒ1 Ｇ1 Ｂ1 入力信号中の最小値（ｍｉｎ（Ｒ1 Ｇ1 Ｂ1 ））を決定する（ステップＳ２６）。図１８に示すように、Ｒ1 Ｇ1 Ｂ1 Ｗ1 入力信号が、Ｒ＝１３０，Ｇ＝７０，Ｂ＝８０，Ｗ＝１００であるとすると、図２０に示すように、ｍｉｎ（Ｒ1 Ｇ1 Ｂ1 ）＝７０となる。
【００７７】
次に、各Ｒ1 Ｇ1 Ｂ1 入力信号からｍｉｎ（Ｒ1 Ｇ1 Ｂ1 ）を減算する（ステップＳ２７）。図１８の例では、図１９に示すように、ＲＧＢに対する減算結果は、それぞれ６０、０、１０となる。つまり、Ｒ1 Ｇ1 Ｂ1 入力信号は、図１９のＲ1 Ｇ1 Ｂ1 信号値と、図２０のＲ1 Ｇ1 Ｂ1 信号値とに分解される。
【００７８】
次に、ｍｉｎ（Ｒ1 Ｇ1 Ｂ1 ）を、ＲＧＢ入力信号値が全て２５５の場合の目標の白Ｗt （２５５）を表現するためのＲＧＢＷの信号値を用いて、ＲＧＢＷ信号に変換する（ステップＳ２８）。目標白Ｗt （２５５）を実現するためのＲＧＢＷ信号値が、図６で示すような信号値であるとすると、図２０の例では、ｍｉｎ（Ｒ1 Ｇ1 Ｂ1 ）に対応するＲＧＢＷ信号の信号値は図２１に示すようなる。
【００７９】
図２１のＲ，Ｇ，Ｂ，Ｗは、次式（６）によって求められる。
【００８０】
Ｒ＝７７×７０／２５５＝２１
Ｇ＝０×７０／２５５＝０
Ｂ＝２０４×７０／２５５＝５６
Ｗ＝２５５×７０／２５５＝７０      …（６）
【００８１】
次に、上記ステップＳ２７で算出された減算値｛Ｒ1 Ｇ1 Ｂ1 −ｍｉｎ（Ｒ1 Ｇ1 Ｂ1 ）｝に上記ステップＳ２８で求められたＲＧＢＷ信号中のＲＧＢ信号値を加算することによりＲＧＢ信号を求めるとともに、Ｒ1 Ｇ1 Ｂ1 Ｗ1 入力信号中のＷ1 に上記ステップＳ２８で求められたＲＧＢＷ信号中のＷ信号値を加算することによりＷ信号を求める（ステップＳ２９）。このようにしてＲＧＢＷ信号が得られる。
【００８２】
上記の例では、ＲＧＢＷ信号は図２２に示すようになる。図２２のＲ，Ｇ，Ｂ，Ｗは、次式（７）によって求められる。
【００８３】
Ｒ＝６０＋２１＝８１
Ｇ＝０＋０＝０
Ｂ＝１０＋５６＝６６
Ｗ＝１００＋７０＝１７０      …（７）
【００８４】
次に、上記ステップＳ２９で求められたＲＧＢＷ信号におけるＲＧＢ信号の最小値が０であるか否かを判別する（ステップＳ３０）。得られたＲＧＢＷ信号におけるＲＧＢ信号の最小値が０である場合には、信号変換処理を終了する。
【００８５】
得られたＲＧＢＷ信号におけるＲＧＢ信号の最小値が０でない場合には、上記ステップＳ２６に戻る。つまり、得られたＲＧＢＷ信号におけるＲＧＢ信号の最小値が０となるまで、ＲＧＢ−ＲＧＢＷ変換ルーチンが繰り返し行われる。
〔５〕ＲＧＢ−ＲＧＢＷ信号変換処理の第２変形例の説明
【００８６】
上記第１変形例で説明したように、条件によっては、ｍｉｎ（ＲＧＢ）を減算することによって０にした信号が、その後のｍｉｎ（ＲＧＢ）からＲＧＢＷ信号への変換によって、１以上の値を持つことがある。このような場合には、上記第１変形例で説明したように、ＲＧＢ−ＲＧＢＷ変換ルーチンが繰り返し行われる。
【００８７】
第２変形例では、ＲＧＢ−ＲＧＢＷ変換ルーチンを１回実行することによって、条件にかかわらず、ＲＧＢ信号のうちの少なくとも１つが０となるＲＧＢＷ信号が得られる信号変換方法を提案する。
【００８８】
ＲＧＢ信号中の１つの信号に着目して、信号変換の過程について説明する。着目している信号を常にｍｉｎ（ＲＧＢ）として取り扱うようにし、またｍｉｎ（ＲＧＢ）のＲＧＢＷ信号への変換によって、当該信号に当該変換後のＷ信号の０．８割程度がフィードバックされてくると仮定すると、着目している信号は、たとえば、初期値を５０とすると、次式（８）に示すように、ＲＧＢ−ＲＧＢＷ変換ルーチンの実行回数に応じて変化する。
【００８９】
５０→４０→３２→２５．６→２０．５→１６．４→１３．１…→０    …（８）
【００９０】
この場合、Ｗ信号は、上記式（８）の全ての数値を加算した値となり、初項５０、公比０．８の無限等比級数の和として求めることができる。−１＜公比＜１の場合には、無限等比級数の和は、次式（９）のように簡略することができる。
【００９１】
無限等比級数の和＝初項／（１−公比）        …（９）
【００９２】
したがって、無限等比級数が式（８）で表される場合には、無限等比級数の和は、５０／（１−０．８）＝２５０となる。
【００９３】
実際の系では、ＲＧＢ信号毎に上記のような無限等比級数の和を算出し、そのうちの最小のものをｍｉｎ（ＲＧＢ）として、ＲＧＢ−ＲＧＢＷ変換ルーチンを１回実行する。この結果、得られたＲＧＢＷ信号におけるＲＧＢ信号のうちの１つが０となり、他の２つが０以上の値となる。
【００９４】
ＲＧＢ入力信号値が、Ｒ＝２５５，Ｇ＝２５５，Ｂ＝５０の場合を例にとって説明する。
【００９５】
ＲＧＢ入力信号値が全て２５５の場合の目標の白Ｗt （２５５）を表現するためのＲＧＢＷ信号の信号値が図６に示すような場合を想定すると、ｍｉｎ（ＲＧＢ）のＲＧＢＷ信号への変換による、ＲＧＢ信号のフィードバック率は０．３（＝図６のＲ／図６のＷ＝７７／２５５），０（＝図６のＧ／図６のＷ），０．８（＝図６のＢ／図６のＷ＝２０４／２５５）となる。
【００９６】
Ｒ，Ｇ，Ｂに対応する無限等比級数の和をΣＲ，ΣＧ，ΣＢとすると、ΣＲ，ΣＧ，ΣＢは、次式（１０）のようになる。
【００９７】
ΣＲ＝２５５／（１−０．３）＝３６４
ΣＧ＝２５５／（１−０）＝２５５
ΣＢ＝５０／（１−０．８）＝２５０      …（１０）
【００９８】
最小値は２５０となるので、２５０をＲＧＢから減算すると、その減算結果は、次式（１１）のようになる。
【００９９】
Ｒ＝２５５−２５０＝５
Ｇ＝２５５−２５０＝５
Ｂ＝５０−２５０＝−２００    …（１１）
【０１００】
一方、ｍｉｎ（ＲＧＢ）（＝２５０）をＲＧＢＷ信号に変換すると、次式（１２）のようになる。
【０１０１】
Ｒ＝２５０×０．３＝７５
Ｇ＝２５５×０＝０
Ｂ＝５０×０．８＝２００
Ｗ＝２５０                    …（１２）
【０１０２】
したがって、ＲＧＢＷ出力信号は、次式（１３）のようになる。
【０１０３】
Ｒ＝５＋７５＝８０
Ｇ＝５＋０＝５
Ｂ＝−２００＋２００＝０
Ｗ＝２５０                    …（１３）
【０１０４】
図２３は、ＲＧＢ入力信号をＲＧＢＷ信号に変換するための信号変換処理の手順を示している。
【０１０５】
ＲＧＢ入力信号値が全て２５５の場合の目標の白Ｗt （２５５）を表現するためのＲＧＢＷの信号値を用いて、ＲＧＢ信号のフィードバック率を算出する（ステップＳ４１）。目標白Ｗt （２５５）を実現するためのＲＧＢＷ信号値が、図６で示すような信号値であるとすると、ＲＧＢ信号のフィードバック率は、０．３（＝７７／２５５），０，０．８（＝２０４／２５５）となる。
【０１０６】
次に、ＲＧＢ入力信号毎に、ＲＧＢ入力信号値を初項とし、上記ステップＳ４１で算出したフィードバック率を公比とする無限等比級数の和ΣＲ，ΣＧ，ΣＢを算出する（ステップＳ４２）。
【０１０７】
次に、ＲＧＢ入力信号毎に算出された無限等比級数の和ΣＲ，ΣＧ，ΣＢのうちの最小値を、ｍｉｎ（ＲＧＢ）として、ＲＧＢ入力信号から減算する（ステップＳ４３）。
【０１０８】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ４４）。
【０１０９】
次に、上記ステップＳ４３で求められた減算値｛ＲＧＢ−ｍｉｎ（ＲＧＢ）｝に上記ステップＳ４４で求められたＲＧＢＷ信号の信号値を加算することにより、ＲＧＢ入力信号に対応するＲＧＢＷ信号を求める（ステップＳ４５）。
【０１１０】
ところで、ＲＧＢ入力信号には、予めガンマ補正がかけられている場合がある。このような場合には、図２のＲＧＢ−ＲＧＢＷ変換回路１には、信号処理の簡略化のためガンマ補正前のＲＧＢ信号が入力されることが好ましい。そこで、図２４に示すように、ＲＧＢ−ＲＧＢＷ変換回路１の前段に、予めガンマ補正がかけられているＲＧＢ入力信号に対して逆ガンマ補正を行うことにより、ＲＧＢ入力信号をガンマ補正前のＲＧＢ信号に変換する逆ガンマ補正回路１１を配置するとともに、ＲＧＢ−ＲＧＢＷ変換回路１の後段に、ＲＧＢ−ＲＧＢＷ変換回路１から出力されるＲＧＢＷ信号に対して、有機ＥＬディスプレイ３のパネル特性に応じたガンマ補正を行うガンマ補正回路１２を配置することが好ましい。このようにすると、ＲＧＢ−ＲＧＢＷ変換回路１での各種計算は、上記実施例、上記第１変形例、上記第２変形例２に挙げた計算方法をそのまま用いることが可能となる。つまり、上記実施例、上記第１変形例、上記第２変形例２における”ＲＧＢ入力信号”として、逆ガンマ補正回路１１から出力されるＲＧＢ信号が用いられる。
【実施例２】
【０１１１】
〔Ｂ〕ＲＧＢ−ＲＧＢＸ（Ｘは任意の色）信号に関する発明の説明
上記〔Ａ〕では、ＲＧＢ信号をＲＧＢＷ信号に変換するための処理について述べた。ここでは、ＸをＲＧＢ以外の任意の色（ＲＧＢと色度座標が異なる任意の色）として、ＲＧＢ信号をＲＧＢＸ信号に変換するための処理について述べる。
【０１１２】
ここでは、Ｘ＝Ｙｅとした場合の実施例について説明する。自発光型ディスプレイにおいて、図２５に示すように、１画素を４つの単位画素で構成し、そのうちの３つの単位画素に３原色、たとえば、Ｒ（赤），Ｇ（緑），Ｂ（青）を表示するためのカラーフィルタを配置している。残りの１つの単位画素に、Ｙｅ（黄色）を表示するためのカラーフィルタを配置している。
【０１１３】
〔１〕表示装置の構成の説明
【０１１４】
図２６は、表示装置の構成を示している。
【０１１５】
デジタルのＲＧＢ入力信号に予めガンマ補正がかけられているものとする。逆ガンマ補正回路２１には、予めガンマ補正がかけられているデジタルのＲＧＢ入力信号が入力される。逆ガンマ補正回路２１は、ＲＧＢ入力信号に対して逆ガンマ補正を行うことにより、ＲＧＢ入力信号をガンマ補正前のＲＧＢ信号に変換する。
【０１１６】
逆ガンマ補正回路２１によって得られたＲＧＢ信号は、ＲＧＢ−ＲＧＢＹｅ信号変換回路２２に送られる。ＲＧＢ−ＲＧＢＹｅ信号変換回路２２は、ＲＧＢ入力信号をＲＧＢＹｅ信号に変換する。ＲＧＢ−ＲＧＢＹｅ信号変換回路２２によって得られたＲＧＢＹｅ信号は、ガンマ補正回路２３に送られる。
【０１１７】
ガンマ補正回路２３は、入力されたＲＧＢＹｅ信号に対して有機ＥＬディスプレイ２５のパネル特性に応じたガンマ補正を行う。ガンマ補正回路２３によって得られたＲＧＢＹｅ信号は、Ｄ／Ａ変換回路２４によってアナログのＲＧＢＹｅ信号に変換される。Ｄ／Ａ変換回路２４によって得られたＲＧＢＹｅ信号は、１画素がＲＧＢＹｅの４つの単位画素で構成された有機ＥＬディスプレイ２５に送られる。
【０１１８】
ＲＧＢ−ＲＧＢＹｅ信号変換回路２２は、Ｙｅ（対応するカラーフィルタによって決定される黄色）の色度および最大輝度を実現するためのＲＧＢ信号値に基づいて、ＲＧＢ信号をＲＧＢＹｅ信号に変換する。そこで、まず、Ｙｅの色度および最大輝度を実現するためのＲＧＢ信号値の算出方法について説明する。
【０１１９】
〔２〕Ｙｅの色度および最大輝度を実現するためのＲＧＢ信号値の算出方法についての説明
図２７は、ＲＧＢのリファレンス調整処理手順を示している。
【０１２０】
目標の白Ｗt の輝度ＬWtおよび色度座標（ｘWt，ｙWt  ）を設定する（ステップＳ５１）。
【０１２１】
次に、有機ＥＬディスプレイ２５のＲＧＢの色度を測定する（ステップＳ５２）。例えば、Ｒの色度を測定する場合には、有機ＥＬディスプレイ２５のＲ表示用の単位画素のみを発光させて、その色度を光学測定器によって測定する。測定されたＲＧＢの色度座標を、それぞれ（ｘR ，ｙR ），（ｘG ，ｙG ），（ｘB ，ｙB ）とする。図２８に、ＲＧＢの色度座標および目標の白Ｗt の色度座標を示す。
【０１２２】
次に、ＲＧＢによるホワイトバランス（ＷＢ）調整時のＲＧＢの輝度値を算出する（ステップＳ５３）。つまり、ＲＧＢの３色によって、目標の白Ｗt の輝度ＬWtおよび色度（ｘWt，ｙWt  ）を表現する際のＲＧＢの輝度値ＬWR，ＬWG，ＬWBを算出する。この輝度値ＬWR，ＬWG，ＬWBは、次式（１４）から求められる。
【０１２３】
【数３】
2006133711.tif 000005
【０１２４】
ただし、ｚR ＝１−ｘR −ｙR 、ｚG ＝１−ｘG −ｙG 、ｚB ＝１−ｘB −ｙB 、ｚWt＝１−ｘWt−ｙWtである。
【０１２５】
次に、上記ステップＳ５３の算出結果を用いて、ＲＧＢの白側リファレンス輝度を算出する（ステップＳ５４）。
【０１２６】
ＲＧＢ入力信号値が８ビットで表される場合、ＲＧＢの白側リファレンス輝度は、ＲＧＢ信号として（２５５，２５５，２５５）をＲＧＢ−ＲＧＢＹｅ変換回路２２に入力したときに、発光輝度および発光色が目標の白Ｗt の輝度ＬWtおよび色度（ｘWt，ｙWt  ）となるように調整される。つまり、ＲＧＢ信号として（２５５，２５５，２５５）をＲＧＢ−ＲＧＢＹｅ変換回路２２に入力したときに、ＲＧＢの輝度がそれぞれ上記ステップＳ５３で算出したＬWR，ＬWG，ＬWBとなるように、ＲＧＢの白側リファレンス輝度が調整される。
【０１２７】
図２９は、Ｙｅのリファレンス調整処理手順を示している。
【０１２８】
有機ＥＬディスプレイ２５のＹｅの色度を測定する（ステップＳ６１）。つまり、有機ＥＬディスプレイ２４のＹｅ表示用の単位画素のみを発光させて、その色度を光学測定器によって測定する。測定されたＹｅの色度座標を、（ｘye，ｙye）とする。図３０に、ＲＧＢの色度座標、目標の白Ｗt の色度座標およびＹｅの色度座標を示す。
【０１２９】
次に、ＲＧＢによるＹｅ調整時のＲＧＢの輝度比を算出する（ステップＳ６２）。つまり、ＲＧＢの３色によって、Ｙｅの色度（ｘye，ｙye）を表現する際のＲＧＢの輝度比ＬyeR ，ＬyeG ，ＬyeB を算出する。この輝度比ＬyeR ，ＬyeG ，ＬyeB は、次式（１５）から求められる。
【０１３０】
【数４】
2006133711.tif 000006
【０１３１】
ただし、ｚR ＝１−ｘR −ｙR 、ｚG ＝１−ｘG −ｙG 、ｚB ＝１−ｘB −ｙB 、ｚye＝１−ｘye−ｙyeである。
【０１３２】
次に、図２７のステップＳ５３で求められたＲＧＢによるホワイトバランス（ＷＢ）調整時のＲＧＢの輝度値ＬWR，ＬWG，ＬWBと、上記ステップＳ６２で求められたＲＧＢによるＹｅ調整時のＲＧＢの輝度比ＬyeR ，ＬyeG ，ＬyeB とに基づいて、Ｙｅの色度および最大輝度を表現するときのＲＧＢ輝度を算出するとともに、Ｙｅの色度および最大輝度を実現するためのＲＧＢの信号値（Ｙｅ（２５５）と等価なＲＧＢ信号値）を求める（ステップＳ６３）。
【０１３３】
つまり、目標白（Ｗt ）を表現するときに決定したＲＧＢの輝度範囲内において、Ｙｅ（２５５）を表現するためのＲＧＢ輝度ＬyeR ’，ＬyeG ’，ＬyeB ’を算出する。
【０１３４】
ＬWR／ＬyeR 、ＬWG／ＬyeG およびＬWB／ＬyeB を算出し、そのうちの最小値をＬyeR ，ＬyeG ，ＬyeB に乗算することによって、Ｙｅ（２５５）を表現するためのＲＧＢ輝度値ＬyeR ’，ＬyeG ’，ＬyeB ’が得られる。
【０１３５】
例えば、ホワイトバランス（ＷＢ）調整時のＲＧＢの輝度ＬWR，ＬWG，ＬWBが３０[cd]：６０[cd]: １０[cd]であり、Ｙｅ調整時のＲＧＢの輝度比ＬyeR ，ＬyeG ，ＬyeB が０．２５：０．６：０．０５であるとすると、ＬWR／ＬyeR ＝１２０、ＬWG／ＬyeG ＝１００、ＬWB／ＬyeB ＝２００となる。最小値は１００であるので、ＬyeR ，ＬyeG ，ＬyeB それぞれに１００を乗算すると、Ｙｅの色度および最大輝度を表現するためのＲＧＢ輝度ＬyeR ’，ＬyeG ’，ＬyeB ’は２５[cd]、６０[cd]、５[cd]となる。
【０１３６】
Ｙｅの色度および最大輝度を表現するためのＲＧＢ輝度を（ＬyeR ’，ＬyeG ’，ＬyeB ’）とし、ホワイトバランス（ＷＢ）調整時のＲＧＢの輝度値を（ＬWR，ＬWG，ＬWB）とすると、Ｙｅの色度および最大輝度を実現するためのＲＧＢの信号値（Ｒye，Ｇye，Ｂye）は、Ｒye＝２５５×ＬyeR ’／ＬWR，Ｇye＝２５５×ＬyeG ’／ＬWG，Ｂye＝２５５×ＬyeB ’／ＬWBとなる。
【０１３７】
上記の例では、Ｒye＝２５５×２５／３０＝２１３、Ｇye＝２５５×６０／６０＝２５５、Ｂye＝２５５×５／１０＝１２８となる。
【０１３８】
次に、上記ステップＳ６３で求められたＹｅの色度および最大輝度を表現するためのＲＧＢ輝度値ＬyeR ’，ＬyeG ’，ＬyeB ’に基づいて、Ｙｅの白側リファレンスを調整する（ステップＳ６４）。Ｙｅの白側リファレンス電圧（Ｙｅ＝２５５に対応するＤ／Ａ変換器２４の出力電圧）は、Ｙｅのみ表示したときに、その輝度が、Ｙｅの色度および最大輝度を表現するためのＲＧＢ輝度の合計値（ＬyeR ’＋ＬyeG ’＋ＬyeB ’）となるように調整される。
【０１３９】
〔３〕ＲＧＢ−ＲＧＢＹｅ信号変換回路２２によるＲＧＢ−ＲＧＢＹｅ信号変換処理についての説明
【０１４０】
図３１は、ＲＧＢ−ＲＧＢＹｅ信号変換回路２２によるＲＧＢ−ＲＧＢＹｅ信号変換処理手順を示している。
【０１４１】
ここでは、ＲＧＢ−ＲＧＢＹｅ信号変換回路２２への入力信号をＲＧＢ入力信号と呼ぶ。ＲＧＢ入力信号のうちからＹｅ信号に変換され得るＲＧＢ信号成分であって、ＲＧＢ入力信号からＹｅ信号に変換されるＲＧＢ信号成分を減算した場合に、ＲＧＢの減算結果のうちの少なくとも１つが０となるようなＲＧＢ信号成分を算出する（ステップＳ７１）。      
【０１４２】
Ｙｅの色度および最大輝度を実現するためのＲＧＢ信号値をＲye，Ｇye，Ｂyeとすると、Ｙｅ信号に変換されるＲＧＢ信号成分は、α（Ｒye，Ｇye，Ｂye）で表される。したがって、まず、ＲＧＢ入力信号からα（Ｒye，Ｇye，Ｂye）を減算した場合に、ＲＧＢの減算結果のうちの少なくとも１つが０となるようなαを求める。具体的には、ＲＧＢ入力信号をＲ、Ｇ、Ｂで表すと、Ｒ／Ｒye、Ｇ／Ｇye、Ｂ／Ｂyeを算出し、その最小値をαとする。そして、α（Ｒye，Ｇye，Ｂye）を算出する。
【０１４３】
例えば、ＲＧＢ入力信号が図３２に示すような場合を想定する。Ｙｅの色度および最大輝度を実現するためのＲＧＢの最大信号値（Ｒye，Ｇye，Ｂye）がＲye＝２１３、Ｇye＝２５５、Ｂye＝１２８とすると、ＲＧＢ入力信号はＲ＝２００、Ｇ＝１００、Ｂ＝１７０であるので、Ｒ／Ｒye＝２００／２１３＝０．９５、Ｇ／Ｇye＝１００／２５５＝０．３９、、Ｂ／Ｂye＝１７０／１２８＝１．３３であるので、その最小値は０．３９となる。そこで、α＝０．３９とすると、αＲye＝７８、αＧye＝１００、αＢye＝６７となる。つまり、Ｙｅ信号に変換されるＲＧＢ信号成分α（Ｒye，Ｇye，Ｂye）は、図３３に示すようになる。
【０１４４】
次に、ＲＧＢ入力信号から、Ｙｅ信号に変換されるＲＧＢ信号成分α（Ｒye，Ｇye，Ｂye）を減算する（ステップＳ７２）。
【０１４５】
上記の例では、Ｒの減算結果は１２２（＝２００−７８）、Ｇの減算結果は０（＝１００−１００）、Ｂの減算結果は１０３（＝１７０−６７）となる。
【０１４６】
そして、上記ステップＳ７２で算出されたＲＧＢそれぞれの減算結果をＲＧＢ信号として出力する（ステップＳ７３）。
【０１４７】
また、２５５×αをＹｅ信号として出力する（ステップＳ７４）。上記の例では、Ｙｅ信号は、１００（＝０．３９×２５５）となる。つまり、上記の例では、ＲＧＢＹｅ信号は、図３４に示すようになる。
【０１４８】
なお、上記実施例では、ＲＧＢ信号をＲＧＢＹｅ信号に変換する場合について説明したが、この手法は、ＸをＲＧＢ以外の任意の色として、ＲＧＢ信号をＲＧＢＸ信号に変換する場合にも適用することができる。
【図面の簡単な説明】
【０１４９】
【図１】１画素がＲ，Ｇ，Ｂ，Ｗの４つの単位で構成されている例を示す模式図である。
【図２】表示装置の構成を示すブロック図である。
【図３】ＲＧＢ入力信号の一例を示す模式図である。
【図４】ｍｉｎ（ＲＧＢ）を示す模式図である。
【図５】入力信号−ｍｉｎ（ＲＧＢ）を示す模式図である。
【図６】Ｗt （２５５）を表現するためのＲＧＢＷの信号比を示す模式図てある。
【図７】Ｗt （１００）を実現するためのＲＧＢＷの信号比を示す模式図てある。
【図８】図５のＲＧＢ値と図７のＲＧＢＷ値とを加算することにより、求められたＲＧＢＷ値を示す模式図である。
【図９】パネル調整処理手順を示すフローチャートである。
【図１０】ＲＧＢＷの色度座標（ｘR ，ｙR ），（ｘG ，ｙG ），（ｘB ，ｙB ），（ｘW ，ｙW ）と、目標の白Ｗt の色度座標（ｘWt，ｙWt  ）とを示す模式図である。
【図１１】ＲＧＢ入力信号をＲＧＢＷ信号に変換するための信号変換処理の手順を示すフローチャートである。
【図１２】ＲＧＢ入力信号をＲＧＢＷ信号に変換するための信号変換処理の他の例を示すフローチャートである。
【図１３】ＲＧＢ入力信号の一例を示す模式図である。
【図１４】ＲＧＢ入力信号−ｍｉｎ（ＲＧＢ）を示す模式図である。
【図１５】ｍｉｎ（ＲＧＢ）を示す模式図である。
【図１６】ｍｉｎ（ＲＧＢ）に対応するＲＧＢＷ信号を示す模式図である。
【図１７】図１４のＲＧＢ値と図１６のＲＧＢＷ値とを加算することにより、求められたＲＧＢＷ値を示す模式図である。
【図１８】得られたＲＧＢＷ信号をＲ1 Ｇ1 Ｂ1 Ｗ1 入力信号とした場合の、Ｒ1 Ｇ1 Ｂ1 Ｗ1 入力信号を示す模式図である。
【図１９】Ｒ1 Ｇ1 Ｂ1 入力信号−ｍｉｎ（Ｒ1 Ｇ1 Ｂ1 ）を示す模式図である。
【図２０】ｍｉｎ（Ｒ1 Ｇ1 Ｂ1 ）を示す模式図である。
【図２１】ｍｉｎ（Ｒ1 Ｇ1 Ｂ1 ）に対応するＲＧＢＷ信号を示す模式図である。
【図２２】図１９のＲ1 Ｇ1 Ｂ1 値と図２１のＲ1 Ｇ1 Ｂ1 Ｗ1 値とを加算することにより、求められたＲＧＢＷ値を示す模式図である。
【図２３】ＲＧＢ入力信号をＲＧＢＷ信号に変換するための信号変換処理のさらに他の例を示すフローチャートである。
【図２４】表示装置の構成を示すブロック図である。
【図２５】１画素がＲ，Ｇ，Ｂ，Ｙｅの４つの単位で構成されている例を示す模式図である。
【図２６】表示装置の構成を示すブロック図である。
【図２７】ＲＧＢのリファレンス調整処理手順を示すフローチャートである。
【図２８】ＲＧＢの色度座標および目標の白Ｗt の色度座標を示す模式図である。
【図２９】Ｙｅのリファレンス調整処理手順を示すフローチャートである。
【図３０】ＲＧＢの色度座標、目標の白Ｗt の色度座標およびＹｅの色度座標を示す模式図である。
【図３１】ＲＧＢ−ＲＧＢＹｅ信号変換回路２２によるＲＧＢ−ＲＧＢＹｅ信号変換処理手順を示すフローチャートである。
【図３２】ＲＧＢ入力信号の一例を示す模式図である。
【図３３】ＲＧＢ入力信号が図３２に示すような信号である場合に、Ｙｅ信号に変換されるＲＧＢ信号成分α（Ｒye，Ｇye，Ｂye）を示す模式図である。
【図３４】ＲＧＢ入力信号が図３２に示すような信号である場合に、ＲＧＢ−ＲＧＢＹｅ信号変換回路２２によって得られるＲＧＢＹｅ信号を示す模式図である。
【符号の説明】
【０１５０】
１  ＲＧＢ−ＲＧＢＷ信号変換回路
２  Ｄ／Ａ変換回路
３  有機ＥＬディスプレイ
１１  逆ガンマ補正回路
１２  ガンマ補正回路
２１  逆ガンマ補正回路
２２  ＲＧＢ−ＲＧＢＹｅ信号変換回路
２３  ガンマ補正回路
２４  Ｄ／Ａ変換回路
２５  有機ＥＬディスプレイ
【図１】
2006133711.tif 000007
【図２】
2006133711.tif 000008
【図３】
2006133711.tif 000009
【図４】
2006133711.tif 000010
【図５】
2006133711.tif 000011
【図６】
2006133711.tif 000012
【図７】
2006133711.tif 000013
【図８】
2006133711.tif 000014
【図９】
2006133711.tif 000015
【図１０】
2006133711.tif 000016
【図１１】
2006133711.tif 000017
【図１２】
2006133711.tif 000018
【図１３】
2006133711.tif 000019
【図１４】
2006133711.tif 000020
【図１５】
2006133711.tif 000021
【図１６】
2006133711.tif 000022
【図１７】
2006133711.tif 000023
【図１８】
2006133711.tif 000024
【図１９】
2006133711.tif 000025
【図２０】
2006133711.tif 000026
【図２１】
2006133711.tif 000027
【図２２】
2006133711.tif 000028
【図２３】
2006133711.tif 000029
【図２４】
2006133711.tif 000030
【図２５】
2006133711.tif 000031
【図２６】
2006133711.tif 000032
【図２７】
2006133711.tif 000033
【図２８】
2006133711.tif 000034
【図２９】
2006133711.tif 000035
【図３０】
2006133711.tif 000036
【図３１】
2006133711.tif 000037
【図３２】
2006133711.tif 000038
【図３３】
2006133711.tif 000039
【図３４】
2006133711.tif 000040